(57)【要約】【課題】非割り当て周波数帯域または共有周波数帯域を用いたセルを効率的に制御する。【解決手段】基地局装置と通信する端末装置であって、少なくとも１つの第１のサービングセルと少なくとも１つの第２のサービングセルを設定する上位層処理部と、第１のサービングセルおよび／または第２のサービングセルにおける物理下りリンク共用チャネルを受信する受信部とを備える。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。【選択図】図４
2018050088.tif 000002
【特許請求の範囲】
【請求項１】
基地局装置と通信する端末装置であって、
少なくとも１つの第１のサービングセルと少なくとも１つの第２のサービングセルを設定する上位層処理部と、
前記第１のサービングセルおよび／または前記第２のサービングセルにおける物理下りリンク共用チャネルを受信する受信部とを備え、
前記第１のサービングセルにおける物理下りリンク共用チャネルは、全てのサブフレームにおいて、上位層のシグナリングによって設定される第１のＯＦＤＭシンボル以降にマッピングされ、
前記第２のサービングセルにおける物理下りリンク共用チャネルは、所定のサブフレームにおいて、第２のＯＦＤＭシンボル以降にマッピングされることを特徴とする端末装置。
【請求項２】
前記受信部は、前記第２のサービングセルの前記所定のサブフレームにおいて、第３のＯＦＤＭシンボル以降にマッピングされる拡張物理下りリンク制御チャネルを受信し、
前記拡張物理下りリンク制御チャネルは、前記物理下りリンク共用チャネルのスケジューリングのために用いられる下りリンク制御情報フォーマットを含むことを特徴とする請求項１に記載の端末装置。
【請求項３】
前記第２のＯＦＤＭシンボルは、前記下りリンク制御情報フォーマットを用いて送信される情報によって通知されることを特徴とする請求項２に記載の端末装置。
【請求項４】
前記第２のＯＦＤＭシンボルおよび前記第３のＯＦＤＭシンボルは、上位層のシグナリングによってそれぞれ独立に設定されることを特徴とする請求項２に記載の端末装置。
【請求項５】
前記受信部は、前記所定のサブフレームより後の所定数のサブフレームのそれぞれにおいて、前記第１のＯＦＤＭシンボルから最後のＯＦＤＭシンボルまでマッピングされるＰＤＳＣＨを受信することを特徴とする請求項１に記載の端末装置。
【請求項６】
端末装置と通信する基地局装置であって、
少なくとも１つの第１のサービングセルと少なくとも１つの第２のサービングセルを前記端末装置に設定する上位層処理部と、
前記第１のサービングセルおよび／または前記第２のサービングセルにおける物理下りリンク共用チャネルを受信する受信部とを備え、
前記第１のサービングセルにおける物理下りリンク共用チャネルは、全てのサブフレームにおいて、上位層のシグナリングによって設定される第１のＯＦＤＭシンボル以降にマッピングされ、
前記第２のサービングセルにおける物理下りリンク共用チャネルは、所定のサブフレームにおいて、第２のＯＦＤＭシンボル以降にマッピングされることを特徴とする基地局装置。
【請求項７】
前記受信部は、前記第２のサービングセルの前記所定のサブフレームにおいて、第３のＯＦＤＭシンボル以降にマッピングされる拡張物理下りリンク制御チャネルを受信し、
前記拡張物理下りリンク制御チャネルは、前記物理下りリンク共用チャネルのスケジューリングのために用いられる下りリンク制御情報フォーマットを含むことを特徴とする請求項６に記載の基地局装置。
【請求項８】
前記第２のＯＦＤＭシンボルは、前記下りリンク制御情報フォーマットを用いて送信される情報によって通知されることを特徴とする請求項６に記載の基地局装置。
【請求項９】
前記第２のＯＦＤＭシンボルおよび前記第３のＯＦＤＭシンボルは、上位層のシグナリングによってそれぞれ独立に設定されることを特徴とする請求項７に記載の基地局装置。
【請求項１０】
前記受信部は、前記所定のサブフレームより後の所定数のサブフレームのそれぞれにおいて、前記第１のＯＦＤＭシンボルから最後のＯＦＤＭシンボルまでマッピングされるＰＤＳＣＨを受信することを特徴とする請求項６に記載の基地局装置。
【請求項１１】
基地局装置と通信する端末装置で用いられる通信方法であって、
少なくとも１つの第１のサービングセルと少なくとも１つの第２のサービングセルを設定するステップと、
前記第１のサービングセルおよび／または前記第２のサービングセルにおける物理下りリンク共用チャネルを受信するステップとを有し、
前記第１のサービングセルにおける物理下りリンク共用チャネルは、全てのサブフレームにおいて、上位層のシグナリングによって設定される第１のＯＦＤＭシンボル以降にマッピングされ、
前記第２のサービングセルにおける物理下りリンク共用チャネルは、所定のサブフレームにおいて、第２のＯＦＤＭシンボル以降にマッピングされることを特徴とする通信方法。
【請求項１２】
端末装置と通信する基地局装置で用いられる通信方法であって、
少なくとも１つの第１のサービングセルと少なくとも１つの第２のサービングセルを前記端末装置に設定するステップと、
前記第１のサービングセルおよび／または前記第２のサービングセルにおける物理下りリンク共用チャネルを送信するステップとを有し、
前記第１のサービングセルにおける物理下りリンク共用チャネルは、全てのサブフレームにおいて、上位層のシグナリングによって設定される第１のＯＦＤＭシンボル以降にマッピングされ、
前記第２のサービングセルにおける物理下りリンク共用チャネルは、所定のサブフレームにおいて、第２のＯＦＤＭシンボル以降にマッピングされることを特徴とする通信方法。
【発明の詳細な説明】
【技術分野】
【０００１】
本発明の実施形態は、効率的な通信を実現する端末装置、基地局装置、および通信方法の技術に関する。
【背景技術】
【０００２】
標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降Ｅ−ＵＴＲＡと称する）の標準化が行なわれた。
【０００３】
また、３ＧＰＰでは、より高速なデータ伝送を実現し、Ｅ−ＵＴＲＡに対して上位互換性を持つＡｄｖａｎｃｅｄ  Ｅ−ＵＴＲＡの検討を行っている。Ｅ−ＵＴＲＡでは、基地局装置がほぼ同一のセル構成（セルサイズ）から成るネットワークを前提とした通信システムであったが、Ａｄｖａｎｃｅｄ  Ｅ−ＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。なお、Ｅ−ＵＴＲＡはＬＴＥ（Long Term Evolution）とも呼称され、Ａｄｖａｎｃｅｄ  Ｅ−ＵＴＲＡはＬＴＥ−Ａｄｖａｎｃｅｄとも呼称される。また、ＬＴＥは、ＬＴＥ−Ａｄｖａｎｃｅｄを含めた総称とすることもできる。
【０００４】
ヘテロジニアスネットワークのように、セル半径の大きいセル（マクロセル）と、セル半径がマクロセルよりも小さいセル（小セル、スモールセル）とが配置される通信システムにおいて、端末装置が、マクロセルとスモールセルとに同時に接続して通信を行うキャリアアグリゲーション（ＣＡ）技術およびデュアルコネクティビティ（ＤＣ）技術が規定されている（非特許文献１）。
【０００５】
一方、非特許文献２において、ライセンス補助アクセス（ＬＡＡ；Licensed-Assisted Access）が、検討されている。ＬＡＡでは、例えば、無線ＬＡＮ（Local Area Network）が利用している非割り当て周波数帯域（Unlicensed spectrum）が、ＬＴＥとして用いられる。具体的には、非割り当て周波数帯域がセカンダリセル（セカンダリコンポーネントキャリア）として設定される。ＬＡＡとして用いられているセカンダリセルは、割り当て周波数帯域（Licensed spectrum）で設定されるプライマリセル（プライマリコンポーネントキャリア）によって、接続、通信および／または設定に関して、アシストされる。ＬＡＡによって、ＬＴＥで利用可能な周波数帯域が広がるため、広帯域伝送が可能になる。なお、ＬＡＡは、所定のオペレータ間で共有される共有周波数帯域（shared spectrum）でも用いられる。
【先行技術文献】
【非特許文献】
【０００６】
【非特許文献１】3rd Generation Partnership Project; Technical Specification Group Radio Access Network; Evolved Universal Terrestrial Radio Access (E-UTRA); Physical layer procedures (Release 12), 3GPP TS 36.213 V12.4.0 (2014-12).
【非特許文献２】RP-141664, Ericsson, Qualcomm, Huawei, Alcatel-Lucent, “Study on Licensed-Assisted Access using LTE,” 3GPP TSG RAN Meeting #65, September 2014.
【発明の概要】
【発明が解決しようとする課題】
【０００７】
ＬＡＡでは、非割り当て周波数帯域または共有周波数帯域が用いられる場合、その周波数帯域は他のシステムおよび／または他のオペレータと共有することになる。しかしながら、ＬＴＥは、割り当て周波数帯域または非共有周波数帯域で用いられることを前提に設計されている。そのため、非割り当て周波数帯域または共有周波数帯域で従来のＬＴＥを用いることはできない。
【０００８】
本発明は上記の点に鑑みてなされたものであり、その目的は、非割り当て周波数帯域または共有周波数帯域を用いたセルを効率的に制御することができる端末装置、基地局装置、および通信方法を提供することである。
【課題を解決するための手段】
【０００９】
（１）上記の目的を達成するために、本発明は、以下のような手段を講じた。すなわち、本発明の一様態による端末装置は、基地局装置と通信する端末装置であって、少なくとも１つの第１のサービングセルと少なくとも１つの第２のサービングセルを設定する上位層処理部と、第１のサービングセルおよび／または第２のサービングセルにおける物理下りリンク共用チャネルを受信する受信部とを備える。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【００１０】
（２）また、本発明の一様態による端末装置は上述の端末装置であって、受信部は、第２のサービングセルの所定のサブフレームにおいて、第３のＯＦＤＭシンボル以降にマッピングされる拡張物理下りリンク制御チャネルを受信する。拡張物理下りリンク制御チャネルは、物理下りリンク共用チャネルのスケジューリングのために用いられる下りリンク制御情報フォーマットを含む。
【００１１】
（３）また、本発明の一様態による端末装置は上述の端末装置であって、第２のＯＦＤＭシンボルは、下りリンク制御情報フォーマットを用いて送信される情報によって通知される。
【００１２】
（４）また、本発明の一様態による端末装置は上述の端末装置であって、第２のＯＦＤＭシンボルおよび第３のＯＦＤＭシンボルは、上位層のシグナリングによってそれぞれ独立に設定される。
【００１３】
（５）また、本発明の一様態による端末装置は上述の端末装置であって、受信部は、所定のサブフレームより後の所定数のサブフレームのそれぞれにおいて、第１のＯＦＤＭシンボルから最後のＯＦＤＭシンボルまでマッピングされるＰＤＳＣＨを受信する。
【００１４】
（６）また、本発明の一様態による基地局装置は、端末装置と通信する基地局装置であって、少なくとも１つの第１のサービングセルと少なくとも１つの第２のサービングセルを端末装置に設定する上位層処理部と、第１のサービングセルおよび／または第２のサービングセルにおける物理下りリンク共用チャネルを送信する送信部とを備える。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【００１５】
（７）また、本発明の一様態による基地局装置は上述の基地局装置であって、受信部は、第２のサービングセルの所定のサブフレームにおいて、第３のＯＦＤＭシンボル以降にマッピングされる拡張物理下りリンク制御チャネルを受信する。拡張物理下りリンク制御チャネルは、物理下りリンク共用チャネルのスケジューリングのために用いられる下りリンク制御情報フォーマットを含む。
【００１６】
（８）また、本発明の一様態による基地局装置は上述の基地局装置であって、第２のＯＦＤＭシンボルは、下りリンク制御情報フォーマットを用いて送信される情報によって通知される。
【００１７】
（９）また、本発明の一様態による基地局装置は上述の基地局装置であって、第２のＯＦＤＭシンボルおよび第３のＯＦＤＭシンボルは、上位層のシグナリングによってそれぞれ独立に設定される。
【００１８】
（１０）また、本発明の一様態による基地局装置は上述の基地局装置であって、受信部は、所定のサブフレームより後の所定数のサブフレームのそれぞれにおいて、第１のＯＦＤＭシンボルから最後のＯＦＤＭシンボルまでマッピングされるＰＤＳＣＨを受信する。
【００１９】
（１１）また、本発明の一様態による通信方法は、基地局装置と通信する端末装置で用いられる通信方法であって、少なくとも１つの第１のサービングセルと少なくとも１つの第２のサービングセルを設定するステップと、第１のサービングセルおよび／または第２のサービングセルにおける物理下りリンク共用チャネルを受信するステップとを有する。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【００２０】
（１２）また、本発明の一様態による通信方法は、端末装置と通信する基地局装置で用いられる通信方法であって、少なくとも１つの第１のサービングセルと少なくとも１つの第２のサービングセルを端末装置に設定するステップと、第１のサービングセルおよび／または第２のサービングセルにおける物理下りリンク共用チャネルを送信するステップとを有する。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【発明の効果】
【００２１】
この発明によれば、基地局装置と端末装置が通信する無線通信システムにおいて、伝送効率を向上させることができる。
【図面の簡単な説明】
【００２２】
【図１】本実施形態に係る下りリンクの無線フレーム構成の一例を示す図である。
【図２】本実施形態に係る上りリンクの無線フレーム構成の一例を示す図である。
【図３】本実施形態に係る基地局装置２のブロック構成の一例を示す概略図である
【図４】本実施形態に係る端末装置１のブロック構成の一例を示す概略図である。
【図５】本実施形態に係るＬＡＡセルにおける通信手順の一例を示す図である。
【図６】本実施形態に係るＬＡＡセルにおける通信手順の一例を示す図である。
【図７】本実施形態に係るＬＡＡセルにおける通信手順の一例を示す図である。
【発明を実施するための形態】
【００２３】
＜第１の実施形態＞
本発明の第１の実施形態について以下に説明する。基地局装置（基地局、ノードＢ、ｅＮＢ（eNodeB））と端末装置（端末、移動局、ユーザ装置、ＵＥ（User equipment））とが、セルにおいて通信する通信システム（セルラーシステム）を用いて説明する。
【００２４】
ＥＵＴＲＡおよびＡｄｖａｎｃｅｄ  ＥＵＴＲＡで使用される主な物理チャネル、および物理シグナルについて説明を行なう。チャネルとは信号の送信に用いられる媒体を意味し、物理チャネルとは信号の送信に用いられる物理的な媒体を意味する。本実施形態において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本実施形態の説明には影響しない。
【００２５】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２６】
図１は、本実施形態に係る下りリンクの無線フレーム構成の一例を示す図である。下りリンクはＯＦＤＭアクセス方式が用いられる。下りリンクでは、ＰＤＣＣＨ、ＥＰＤＣＣＨ、物理下りリンク共用チャネル（ＰＤＳＣＨ；Ｐｈｙｓｉｃａｌ  Ｄｏｗｎｌｉｎｋ  Ｓｈａｒｅｄ  ＣＨａｎｎｅｌ）などが割り当てられる。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィッスが付加される場合には７個、通常よりも長いサイクリックプレフィッスが付加される場合には６個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２７】
なお、ここでは図示していないが、下りリンクサブフレームには、同期シグナル（Ｓｙｎｃｈｒｏｎｉｚａｔｉｏｎ  Ｓｉｇｎａｌｓ）や物理報知情報チャネルや下りリンク参照信号（ＲＳ：Ｒｅｆｅｒｅｎｃｅ  Ｓｉｇｎａｌ、下りリンクリファレンスシグナル）が配置されてもよい。下りリンク参照信号としては、ＰＤＣＣＨと同じ送信ポートで送信されるセル固有参照信号（ＣＲＳ：Ｃｅｌｌ−ｓｐｅｃｉｆｉｃ  ＲＳ）、チャネル状態情報（ＣＳＩ：Ｃｈａｎｎｅｌ  Ｓｔａｔｅ  Ｉｎｆｏｒｍａｔｉｏｎ）の測定に用いられるチャネル状態情報参照信号（ＣＳＩ−ＲＳ）、一部のＰＤＳＣＨと同じ送信ポートで送信される端末固有参照信号（ＵＲＳ：ＵＥ−ｓｐｅｃｉｆｉｃ  ＲＳ）、ＥＰＤＣＣＨと同じ送信ポートで送信される復調用参照信号（ＤＭＲＳ：Ｄｅｍｏｄｕｌａｔｉｏｎ  ＲＳ）などがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部の送信ポート（例えば送信ポート０だけ）あるいは全部の送信ポートに対応する信号と同様の信号（拡張同期シグナルと呼称する）を挿入することができる。また、一部のＰＤＳＣＨと同じ送信ポートで送信される端末固有参照信号は、ＰＤＳＣＨに関連付けられる端末固有参照信号またはＤＭＲＳとも呼称される。また、ＥＰＤＣＣＨと同じ送信ポートで送信される復調用参照信号は、ＥＰＤＣＣＨに関連付けられるＤＭＲＳとも呼称される。
【００２８】
なお、ここでは図示していないが、下りリンクサブフレームには、検出信号（ＤＳ：Ｄｉｓｃｏｖｅｒｙ  Ｓｉｇｎａｌ）が配置されてもよい。あるセルにおいて、ＤＳ（ＤＳ  Ｏｃｃａｓｉｏｎ）は、連続する所定数のサブフレームの時間期間（ＤＳ期間）で構成される。その所定数は、ＦＤＤ（Frame structure type 1）において１から５であり、ＴＤＤ（Frame structure type 2）において２から５である。その所定数は、ＲＲＣのシグナリングによって設定される。また、ＤＳ期間またはその設定は、ＤＭＴＣ（Discovery signals measurement timing configuration）とも呼称される。端末は、そのＤＳが、ＲＲＣのシグナリングによって設定されるパラメータdmtc-Periodicityで設定されるサブフレーム毎に、送信（マッピング、発生）していると想定する。また、下りリンクサブフレームにおいて、端末は以下の信号を含んで構成されるＤＳの存在を想定する。
（１）そのＤＳ期間における全ての下りリンクサブフレームと全てのスペシャルサブフレームのＤｗＰＴＳ内の、アンテナポート０のＣＲＳ。
（２）ＦＤＤにおいて、そのＤＳ期間の最初のサブフレーム内のＰＳＳ。ＴＤＤにおいて、そのＤＳ期間の２番目のサブフレーム内のＰＳＳ。
（３）そのＤＳ期間の最初のサブフレーム内のＳＳＳ。
（４）そのＤＳ期間のゼロ個以上のサブフレーム内の非ゼロ電力ＣＳＩ−ＲＳ。その非ゼロ電力ＣＳＩ−ＲＳはＲＲＳのシグナリングによって設定される。
【００２９】
端末は、設定されたＤＳに基づいて、測定を行う。その測定は、ＤＳにおけるＣＲＳ、または、ＤＳにおける非ゼロ電力ＣＳＩ−ＲＳを用いて行われる。また、ＤＳに関する設定において、複数の非ゼロ電力ＣＳＩ−ＲＳが設定できる。
【００３０】
図２は、本実施形態に係る上りリンクの無線フレーム構成の一例を示す図である。上りリンクはＳＣ−ＦＤＭＡ方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、ＰＵＣＣＨなどが割り当てられる。また、ＰＵＳＣＨやＰＵＣＣＨの一部に、上りリンク参照信号（上りリンクリファレンスシグナル）が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィッスが付加される場合には７個、通常よりも長いサイクリックプレフィッスが付加される場合には６個のＳＣ−ＦＤＭＡシンボルから構成される。なお、ここでは一つのＣＣにおける上りリンクサブフレームを記載しているが、ＣＣ毎に上りリンクサブフレームが規定される。
【００３１】
同期シグナルは、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Ｐｈｙｓｉｃａｌ  Ｃｅｌｌ  Ｉｄｅｎｔｉｔｙ；  ＰＣＩ））と、無線同期のためのフレームタイミングが示される。端末装置は、セルサーチによって受信した同期シグナルの物理セルＩＤを特定する。
【００３２】
物理報知情報チャネル（ＰＢＣＨ；  Ｐｈｙｓｉｃａｌ  Ｂｒｏａｄｃａｓｔ  Ｃｈａｎｎｅｌ）は、セル内の端末装置で共通に用いられる制御パラメータ（報知情報（システム情報）；Ｓｙｓｔｅｍ  ｉｎｆｏｒｍａｔｉｏｎ）を通知（設定）する目的で送信される。物理下りリンク制御チャネルで報知情報が送信される無線リソースがセル内の端末装置に対して通知され、物理報知情報チャネルで通知されない報知情報は、通知された無線リソースにおいて、物理下りリンク共用チャネルによって報知情報を通知するレイヤ３メッセージ（システムインフォメーション）が送信される。
【００３３】
報知情報として、セル個別の識別子を示すセルグローバル識別子（ＣＧＩ；  Ｃｅｌｌ  Ｇｌｏｂａｌ  Ｉｄｅｎｔｉｆｉｅｒ）、ページングによる待ち受けエリアを管理するトラッキングエリア識別子（ＴＡＩ；  Ｔｒａｃｋｉｎｇ  Ａｒｅａ  Ｉｄｅｎｔｉｆｉｅｒ）、ランダムアクセス設定情報（送信タイミングタイマーなど）、当該セルにおける共通無線リソース設定情報、周辺セル情報、上りリンクアクセス制限情報などが通知される。
【００３４】
下りリンクリファレンスシグナルは、その用途によって複数のタイプに分類される。例えば、セル固有ＲＳ（Ｃｅｌｌ−ｓｐｅｃｉｆｉｃ  ｒｅｆｅｒｅｎｃｅ  ｓｉｇｎａｌｓ）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００３５】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、拡張物理下りリンク制御チャネル、または物理下りリンク共用チャネルを復調するときのチャネルの伝搬路補償処理のために参照される。
【００３６】
物理下りリンク制御チャネル（ＰＤＣＣＨ；  Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００３７】
端末装置は、下りリンクデータや上位層制御情報であるレイヤ２メッセージおよびレイヤ３メッセージ（ページング、ハンドオーバーコマンドなど）を送受信する前に、自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００３８】
物理上りリンク制御チャネル（ＰＵＣＣＨ；  Ｐｈｙｓｉｃａｌ  Ｕｐｌｉｎｋ  Ｃｏｎｔｒｏｌ  Ｃｈａｎｎｅｌ）は、物理下りリンク共用チャネルで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００３９】
ＣＳＩは、受信品質指標（ＣＱＩ：Ｃｈａｎｎｅｌ  Ｑｕａｌｉｔｙ  Ｉｎｄｉｃａｔｏｒ）、プレコーディング行列指標（ＰＭＩ：Ｐｒｅｃｏｄｉｎｇ  Ｍａｔｒｉｘ  Ｉｎｄｉｃａｔｏｒ）、プレコーディングタイプ指標（ＰＴＩ：Ｐｒｅｃｏｄｉｎｇ  Ｔｙｐｅ  Ｉｎｄｉｃａｔｏｒ）、ランク指標（ＲＩ：Ｒａｎｋ  Ｉｎｄｉｃａｔｏｒ）を含み、それぞれ、好適な変調方式および符号化率、好適なプレコーディング行列、好適なＰＭＩのタイプ、好適なランクを指定する（表現する）ために用いられることができる。各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１ＰＭＩと第２ＰＭＩの２種類のＰＭＩを用いて１つの好適なプレコーディング行列を表現するタイプのＰＭＩが存在する。
【００４０】
物理下りリンク共用チャネル（ＰＤＳＣＨ；  Ｐｈｙｓｉｃａｌ  Ｄｏｗｎｌｉｎｋ  Ｓｈａｒｅｄ  Ｃｈａｎｎｅｌ）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４１】
物理上りリンク共用チャネル（ＰＵＳＣＨ；  Ｐｈｙｓｉｃａｌ  Ｕｐｌｉｎｋ  Ｓｈａｒｅｄ  Ｃｈａｎｎｅｌ）は、主に上りリンクデータと上りリンク制御情報を送信し、ＣＳＩやＡＣＫ／ＮＡＣＫなどの上りリンク制御情報を含めることも可能である。また、上りリンクデータの他、上位層制御情報であるレイヤ２メッセージおよびレイヤ３メッセージを端末装置から基地局装置に通知するためにも使用される。また、下りリンクと同様に物理上りリンク共用チャネルの無線リソース割り当て情報は、物理下りリンク制御チャネルで示される。
【００４２】
上りリンクリファレンスシグナル（上りリンク参照信号；Ｕｐｌｉｎｋ  Ｒｅｆｅｒｅｎｃｅ  Ｓｉｇｎａｌ、上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調参照信号（ＤＭＲＳ；Ｄｅｍｏｄｕｌａｔｉｏｎ  Ｒｅｆｅｒｅｎｃｅ  Ｓｉｇｎａｌ）と、基地局装置が、主に、上りリンクのチャネル状態を推定するために使用するサウンディング参照信号（ＳＲＳ；Ｓｏｕｎｄｉｎｇ  Ｒｅｆｅｒｅｎｃｅ  Ｓｉｇｎａｌ）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４３】
物理ランダムアクセスチャネル（ＰＲＡＣＨ；  Ｐｈｙｓｉｃａｌ  Ｒａｎｄｏｍ  Ａｃｃｅｓｓ  Ｃｈａｎｎｅｌ）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４４】
端末装置は、ＳＲに対する物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）コマンドとも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００４５】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータ（上りリンクデータおよび下りリンクデータ）を取り扱うプロトコルのことをユーザ平面（ＵＰ（Ｕｓｅｒ−ｐｌａｎｅ、Ｕ−Ｐｌａｎｅ））と称する。ここで、物理層における送信データであるトランスポートブロックは、上位層におけるＣ−ＰｌａｎｅのメッセージとＵ−Ｐｌａｎｅのデータとを含む。なお、それ以外の物理チャネルは、詳細な説明は省略する。
【００４６】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【００４７】
端末装置は、セルの中を通信エリアとみなして動作する。端末装置が、あるセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００４８】
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。コンポーネントキャリアには、上りリンクに対応する上りリンクコンポーネントキャリアと、下りリンクに対応する下りリンクコンポーネントキャリアとがある。本明細書において、周波数と周波数帯域は同義的に使用され得る。
【００４９】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５０】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていても良い。周波数帯域幅は、後方互換性を考慮して従来のセルの周波数帯域幅のいずれかと等しいことが望ましいが、従来のセルの周波数帯域と異なる周波数帯域幅でも構わない。
【００５１】
また、後方互換性のないコンポーネントキャリア（キャリアタイプ）を集約してもよい。なお、基地局装置が端末装置に割り当てる（設定する、追加する）上りリンクコンポーネントキャリアの数は、下りリンクコンポーネントキャリアの数と同じか少ないことが望ましい。
【００５２】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、プライマリセル（ＰＣｅｌｌ：Ｐｒｉｍａｒｙ  ｃｅｌｌ）と称される。また、プライマリセル以外のコンポーネントキャリアから構成されるセルは、セカンダリセル（ＳＣｅｌｌ：Ｓｅｃｏｎｄａｒｙ  ｃｅｌｌ）と称される。端末装置は、プライマリセルでページングメッセージの受信、報知情報の更新の検出、初期アクセス手順、セキュリティ情報の設定などを行う一方、セカンダリセルではこれらを行わないでもよい。
【００５３】
プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置から明示的に指定されるほか、コンポーネントキャリア毎に端末装置に設定されるタイマーに基づいて状態が変更される。プライマリセルとセカンダリセルとを合わせてサービングセル（在圏セル）と称する。
【００５４】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されても良い。すなわち、本実施形態の基地局装置は、リレー局装置に置き換えることが出来る。
【００５５】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。
【００５６】
言い換えると、キャリアアグリゲーション（キャリア・アグリゲーションとも称す）において、設定された複数のサービングセルは、１つのプライマリセルと１つまたは複数のセカンダリセルとを含む。
【００５７】
プライマリセルは、初期コネクション構築プロシージャが行なわれたサービングセル、コネクション再構築プロシージャを開始したサービングセル、または、ハンドオーバプロシージャにおいてプライマリセルと指示されたセルである。プライマリセルは、プライマリ周波数でオペレーションする。コネクションが（再）構築された時点、または、その後に、セカンダリセルが設定されてもよい。セカンダリセルは、セカンダリ周波数でオペレーションする。なお、コネクションは、ＲＲＣコネクションと称されてもよい。ＣＡをサポートしている端末装置に対して、１つのプライマリセルと１つ以上のセカンダリセルで集約される。
【００５８】
本実施形態では、ＬＡＡ（Licensed Assisted Access）が用いられる。ＬＡＡにおいて、プライマリセルは割り当て周波数が設定され（用いられ）、セカンダリセルの少なくとも１つは非割り当て周波数が設定される。非割り当て周波数が設定されるセカンダリセルは、割り当て周波数が設定されるプライマリセルまたはセカンダリセルからアシストされる。例えば、割り当て周波数が設定されるプライマリセルまたはセカンダリセルは、非割り当て周波数が設定されるセカンダリセルに対して、ＲＲＣのシグナリング、ＭＡＣのシグナリング、および／またはＰＤＣＣＨのシグナリングによって、設定および／または制御情報の通知を行う。本実施形態において、プライマリセルまたはセカンダリセルからアシストされるセルはＬＡＡセルとも呼称される。ＬＡＡセルは、プライマリセルおよび／またはセカンダリセルとキャリアアグリゲーションによって、集約（アシスト）できる。また、ＬＡＡセルをアシストするプライマリセルまたはセカンダリセルはアシストセルとも呼称される。
【００５９】
ＬＡＡセルは、プライマリセルおよび／またはセカンダリセルとデュアルコネクティビティによって、集約（アシスト）されてもよい。
【００６０】
以下では、デュアルコネクティビティの基本構造（アーキテクチャー）について説明する。例えば、端末装置１が、複数の基地局装置２（例えば、基地局装置２−１、基地局装置２−２）と同時に接続している場合を説明する。基地局装置２−１はマクロセルを構成する基地局装置であり、基地局装置２−２はスモールセルを構成する基地局装置であるとする。このように、端末装置１が、複数の基地局装置２に属する複数のセルを用いて同時に接続することをデュアルコネクティビティと称する。各基地局装置２に属するセルは同じ周波数で運用されていてもよいし、異なる周波数で運用されていてもよい。
【００６１】
なお、キャリア・アグリゲーションは、複数のセルを一つの基地局装置２が管理し、各セルの周波数が異なるという点がデュアルコネクティビティと異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００６２】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの割り当て、活性化／不活性化などの技術をデュアルコネクティビティにより接続されるセルに対して適用してもよい。
【００６３】
デュアルコネクティビティにおいて、基地局装置２−１または基地局装置２−２は、ＭＭＥとＳＧＷとバックボーン回線で接続されている。ＭＭＥは、ＭＭＥ（Ｍｏｂｉｌｉｔｙ  Ｍａｎａｇｅｍｅｎｔ  Ｅｎｔｉｔｙ）に対応する上位の制御局装置であり、端末装置１の移動性管理や認証制御（セキュリティ制御）および基地局装置２に対するユーザデータの経路を設定する役割などを持つ。ＳＧＷは、Ｓｅｒｖｉｎｇ  Ｇａｔｅｗａｙ（Ｓ−ＧＷ）に対応する上位の制御局装置であり、ＭＭＥによって設定された端末装置１へのユーザデータの経路に従ってユーザデータを伝送する役割などを持つ。
【００６４】
また、デュアルコネクティビティにおいて、基地局装置２−１または基地局装置２−２とＳＧＷの接続経路は、ＳＧＷインターフェースと称される。また、基地局装置２−１または基地局装置２−２とＭＭＥの接続経路は、ＭＭＥインターフェースと称される。また、基地局装置２−１と基地局装置２−２の接続経路は、基地局インターフェースと称される。ＳＧＷインターフェースは、ＥＵＴＲＡにおいてＳ１−Ｕインターフェースとも称される。また、ＭＭＥインターフェースは、ＥＵＴＲＡにおいてＳ１−ＭＭＥインターフェースとも称される。また、基地局インターフェースは、ＥＵＴＲＡにおいてＸ２インターフェースとも称される。
【００６５】
デュアルコネクティビティを実現するアーキテクチャーの一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。また、基地局装置２−１は、基地局インターフェースを介して、基地局装置２−２へＭＭＥ、および／またはＳＧＷとの通信経路を提供する。換言すると、基地局装置２−２は、基地局装置２−１を経由してＭＭＥ、および／またはＳＧＷと接続されている。
【００６６】
また、デュアルコネクティビティを実現する別のアーキテクチャーの別の一例を説明する。デュアルコネクティビティにおいて、基地局装置２−１とＭＭＥは、ＭＭＥインターフェースによって接続されている。また、基地局装置２−１とＳＧＷは、ＳＧＷインターフェースによって接続されている。基地局装置２−１は、基地局インターフェースを介して、基地局装置２−２へＭＭＥとの通信経路を提供する。換言すると、基地局装置２−２は、基地局装置２−１を経由してＭＭＥと接続されている。また、基地局装置２−２は、ＳＧＷインターフェースを介してＳＧＷと接続されている。
【００６７】
なお、基地局装置２−２とＭＭＥが、ＭＭＥインターフェースによって直接接続されるような構成であってもよい。
【００６８】
別の観点から説明すると、デュアルコネクティビティとは、少なくとも二つの異なるネットワークポイント（マスター基地局装置（ＭｅＮＢ：Ｍａｓｔｅｒ  ｅＮＢ）とセカンダリー基地局装置（ＳｅＮＢ：Ｓｅｃｏｎｄａｒｙ  ｅＮＢ））から提供される無線リソースを所定の端末装置が消費するオペレーションである。言い換えると、デュアルコネクティビティは、端末装置が、少なくとも２つのネットワークポイントでＲＲＣ接続を行なうことである。デュアルコネクティビティにおいて、端末装置は、ＲＲＣ接続（ＲＲＣ＿ＣＯＮＮＥＣＴＥＤ）状態で、且つ、非理想的バックホール（ｎｏｎ−ｉｄｅａｌ  ｂａｃｋｈａｕｌ）によって接続されてもよい。
【００６９】
デュアルコネクティビティにおいて、少なくともＳ１−ＭＭＥに接続され、コアネットワークのモビリティアンカーの役割を果たす基地局装置をマスター基地局装置と称される。また、端末装置に対して追加の無線リソースを提供するマスター基地局装置ではない基地局装置をセカンダリー基地局装置と称される。マスター基地局装置に関連されるサービングセルのグループをマスターセルグループ（ＭＣＧ：Ｍａｓｔｅｒ  Ｃｅｌｌ  Ｇｒｏｕｐ）、セカンダリー基地局装置に関連されるサービングセルのグループをセカンダリーセルグループ（ＳＣＧ：Ｓｅｃｏｎｄａｒｙ  Ｃｅｌｌ  Ｇｒｏｕｐ）と称される場合もある。なお、セルグループは、サービングセルグループであってもよい。
【００７０】
デュアルコネクティビティにおいて、プライマリセルは、ＭＣＧに属する。また、ＳＣＧにおいて、プライマリセルに相当するセカンダリセルをプライマリーセカンダリーセル（ｐＳＣｅｌｌ：Ｐｒｉｍａｒｙ  Ｓｅｃｏｎｄａｒｙ  Ｃｅｌｌ）と称する。なお、ｐＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳまたはＵＳＳとは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。
【００７１】
デュアルコネクティビティにおいて、データ無線ベアラ（ＤＲＢ：Ｄａｔｅ  Ｒａｄｉｏ  Ｂｅａｒｅｒ）は、ＭｅＮＢとＳｅＮＢで個別に割り当てられてもよい。一方、シグナリング無線ベアラ（ＳＲＢ：Ｓｉｇｎａｌｌｉｎｇ  Ｒａｄｉｏ  Ｂｅａｒｅｒ）はＭｅＮＢだけに割り当てられてもよい。デュアルコネクティビティにおいて、ＭＣＧとＳＣＧまたはＰＣｅｌｌとｐＳＣｅｌｌでは、それぞれ個別にデュプレックスモードが設定されてもよい。デュアルコネクティビティにおいて、ＭＣＧとＳＣＧまたはＰＣｅｌｌとｐＳＣｅｌｌで、同期されなくてもよい。デュアルコネクティビティにおいて、ＭＣＧとＳＣＧそれぞれにおいて、複数のタイミング調整のためのパラメータ（ＴＡＧ：Ｔｉｍｉｎｇ  Ａｄｖａｎｃｃｅ  Ｇｒｏｕｐ）が設定されてもよい。つまり、端末装置は、各ＣＧ内において、異なる複数のタイミングでの上りリンク送信が可能である。
【００７２】
デュアルコネクティビティにおいて、端末装置は、ＭＣＧ内のセルに対応するＵＣＩは、ＭｅＮＢ（ＰＣｅｌｌ）のみに送信し、ＳＣＧ内のセルに対応するＵＣＩは、ＳｅＮＢ（ｐＳＣｅｌｌ）のみに送信することができる。例えば、ＵＣＩはＳＲ、ＨＡＲＱ−ＡＣＫ、および／またはＣＳＩである。また、それぞれのＵＣＩの送信において、ＰＵＣＣＨおよび／またはＰＵＳＣＨを用いた送信方法はそれぞれのセルグループで適用される。
【００７３】
プライマリセルでは、すべての信号が送受信可能であるが、セカンダリセルでは、送受信できない信号がある。例えば、ＰＵＣＣＨ（Ｐｈｙｓｉｃａｌ  Ｕｐｌｉｎｋ  Ｃｏｎｔｒｏｌ  Ｃｈａｎｎｅｌ）は、プライマリセルでのみ送信される。また、ＰＲＡＣＨ（Ｐｈｙｓｉｃａｌ  Ｒａｎｄｏｍ  Ａｃｃｅｓｓ  Ｃｈａｎｎｅｌ）は、セル間で、複数のＴＡＧ（Ｔｉｍｉｎｇ  Ａｄｖａｎｃｅ  Ｇｒｏｕｐ）が設定されない限り、プライマリセルでのみ送信される。また、ＰＢＣＨ（Ｐｈｙｓｉｃａｌ  Ｂｒｏａｄｃａｓｔ  Ｃｈａｎｎｅｌ）は、プライマリセルでのみ送信される。また、ＭＩＢ（Ｍａｓｔｅｒ  Ｉｎｆｏｒｍａｔｉｏｎ  Ｂｌｏｃｋ）は、プライマリセルでのみ送信される。プライマリセカンダリセルでは、プライマリセルで送受信可能な信号が送受信される。例えば、ＰＵＣＣＨは、プライマリセカンダリセルで送信されてもよい。また、ＰＲＡＣＨは、複数のＴＡＧが設定されているかにかかわらず、プライマリセカンダリセルで送信されてもよい。また、ＰＢＣＨやＭＩＢがプライマリセカンダリセルで送信されてもよい。
【００７４】
プライマリセルでは、ＲＬＦ（Ｒａｄｉｏ  Ｌｉｎｋ  Ｆａｉｌｕｒｅ）が検出される。セカンダリセルでは、ＲＬＦが検出される条件が整ってもＲＬＦが検出されたと認識しない。プライマリセカンダリセルでは、条件を満たせば、ＲＬＦが検出される。プライマリセカンダリセルにおいて、ＲＬＦが検出された場合、プライマリセカンダリセルの上位層は、プライマリセルの上位層へＲＬＦが検出されたことを通知する。プライマリセルでは、ＳＰＳ（Ｓｅｍｉ−Ｐｅｒｓｉｓｔｅｎｔ  Ｓｃｈｅｄｕｌｉｎｇ）やＤＲＸ（Ｄｉｓｃｏｎｔｉｎｕｏｕｓ  Ｒｅｃｅｐｔｉｏｎ）を行なってもよい。セカンダリセルでは、プライマリセルと同じＤＲＸを行なってもよい。セカンダリセルにおいて、ＭＡＣの設定に関する情報／パラメータは、基本的に、同じセルグループのプライマリセル／プライマリセカンダリセルと共有している。一部のパラメータ（例えば、ｓＴＡＧ−Ｉｄ）は、セカンダリセル毎に設定されてもよい。一部のタイマーやカウンタが、プライマリセルおよび／またはプライマリセカンダリセルに対してのみ適用されてもよい。セカンダリセルに対してのみ、適用されるタイマーやカウンタが設定されてもよい。
【００７５】
ＬＡＡセルにデュアルコネクティビティが適用される場合の一例において、ＭＣＧ（基地局装置２−１）はプライマリセルを構成する基地局装置であり、ＳＣＧ（基地局装置２−２）はＬＡＡセルを構成する基地局装置である。すなわち、ＬＡＡセルは、ＳＣＧのｐＳＣｅｌｌとして設定される。
【００７６】
ＬＡＡセルにデュアルコネクティビティが適用される場合の別の一例において、ＭＣＧはプライマリセルを構成する基地局装置であり、ＳＣＧはｐＳＣｅｌｌおよびＬＡＡセルを構成する基地局装置である。すなわち、ＬＡＡセルは、ＳＣＧにおいて、ｐＳＣｅｌｌからアシストされる。なお、ＳＣＧにセカンダリセルがさらに設定された場合、ＬＡＡセルは、そのセカンダリセルからアシストされてもよい。
【００７７】
ＬＡＡセルにデュアルコネクティビティが適用される場合の別の一例において、ＭＣＧはプライマリセルおよびＬＡＡセルを構成する基地局装置であり、ＳＣＧはｐＳＣｅｌｌを構成する基地局装置である。すなわち、ＬＡＡセルは、ＭＣＧにおいて、プライマリセルからアシストされる。なお、ＭＣＧにセカンダリセルがさらに設定された場合、ＬＡＡセルは、そのセカンダリセルからアシストされてもよい。
【００７８】
図３は、本実施形態に係る基地局装置２のブロック構成の一例を示す概略図である。基地局装置２は、上位層（上位層制御情報通知部、上位層処理部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（ＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部）５１１を有する。
【００７９】
図４は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部、上位層処理部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。
【００８０】
まず、図３および図４を用いて、下りリンクデータの送受信の流れについて説明する。基地局装置２において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、新データ指標）を保持し、これらに基づいてコードワード生成部５０３や下りリンクサブフレーム生成部５０４を制御する。上位層５０１から送られてくる下りリンクデータ（下りリンクトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Ｒａｄｉｏ  Ｒｅｓｏｕｒｃｅ  Ｃｏｎｔｒｏｌ）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨなどの物理層の下りリンク制御チャネルを生成して下りリンクサブフレーム内のＲＥにマッピングする能力も有することができる。複数の基地局装置（基地局装置２−１および基地局装置２−２）は、それぞれ個別の下りリンクサブフレームを送信する。
【００８１】
端末装置１では、受信アンテナ６０１を介して、ＯＦＤＭ信号受信部６０２においてＯＦＤＭ信号が受信され、ＯＦＤＭ復調処理が施される。下りリンクサブフレーム処理部６０３は、まずＰＤＣＣＨやＥＰＤＣＣＨなどの物理層の下りリンク制御チャネルを検出する。より具体的には、下りリンクサブフレーム処理部６０３は、ＰＤＣＣＨやＥＰＤＣＣＨが割り当てられ得る領域においてＰＤＣＣＨやＥＰＤＣＣＨが送信されたものとしてデコードし、予め付加されているＣＲＣ（Ｃｙｃｌｉｃ  Ｒｅｄｕｎｄａｎｃｙ  Ｃｈｅｃｋ）ビットを確認する（ブラインドデコーディング）。すなわち、下りリンクサブフレーム処理部６０３は、ＰＤＣＣＨやＥＰＤＣＣＨをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ  Ｐｅｒｓｉｓｔｅｎｔ  Ｓｃｈｅｄｕｌｉｎｇ―Ｃ−ＲＮＴＩ）など１つの端末に対して１つ割り当てられる端末固有識別子、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨを検出できたものと認識し、検出したＰＤＣＣＨあるいはＥＰＤＣＣＨに含まれる制御情報を用いてＰＤＳＣＨを取り出す。制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行うように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームから下りリンク参照信号を取り出す。トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２（基地局装置２−１および基地局装置２−２）は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、ト��ンスポートブロック抽出部６０５では、トランスポートブロックが正しく検出できたか否かを判定し、判定結果は制御部６０６に送られる。
【００８２】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨが生成される。上りリンクサブフレーム生成部６０９では、上位層６０７から送られる上りリンクデータを含むＰＵＳＣＨと、上りリンク制御情報生成部６１０において生成されるＰＵＣＣＨとが上りリンクサブフレーム内のＲＢにマッピングされ、上りリンクサブフレームが生成される。上りリンクサブフレームは、ＳＣ−ＦＤＭＡ信号送信部６１１において、ＳＣ−ＦＤＭＡ変調が施されＳＣ−ＦＤＭＡ信号が生成され、送信アンテナ６１３を介して送信される。
【００８３】
以下では、ＬＡＡセルの詳細について説明する。
【００８４】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００８５】
公平な周波数共用技術の一例は、ＬＢＴ（Listen-Before-Talk）である。ＬＢＴは、ある基地局または端末がある周波数（コンポーネントキャリア、セル）を用いて信号を送信する前に、その周波数の干渉電力（干渉信号、受信電力、受信信号、雑音電力、雑音信号）などを測定（検出）することにより、その周波数がアイドル状態（空いている状態、混雑している状態、Presence、Occupied）であるか、またはビジー状態（空いていない状態、混雑していない状態、Absence、Clear）であるかを、識別（検出、想定、決定）する。ＬＢＴに基づいて、その周波数がアイドル状態であると識別した場合、そのＬＡＡセルはその周波数における所定のタイミングで信号を送信することができる。ＬＢＴに基づいて、その周波数がビジー状態であると識別した場合、そのＬＡＡセルはその周波数における所定のタイミングでは信号を送信しない。ＬＢＴによって、他の通信システムおよび／または他のＬＴＥオペレータを含む他の基地局および／または端末が送信している信号に対して、干渉しないように制御できる。
【００８６】
ＬＢＴの手順は、ある基地局または端末がその周波数（チャネル）を用いる前にＣＣＡチェックを適用するメカニズムとして定義される。そのＣＣＡは、その周波数がアイドル状態かビジー状態かどうかを識別するために、そのチャネルにおいて、他の信号の有無を決定するための電力検出または信号検出を行う。なお、本実施形態において、ＣＣＡの定義はＬＢＴの定義と同等であってもよい。
【００８７】
ＣＣＡにおいて、他の信号の有無を決定する方法は、様々な方法を用いることができる。例えば、ＣＣＡは、ある周波数における干渉電力が、あるしきい値を超えるかどうかに基づいて決定する。また、例えば、ＣＣＡは、ある周波数における所定の信号またはチャネルの受信電力が、あるしきい値を超えるかどうかに基づいて決定する。そのしきい値は予め規定されてもよい。そのしきい値は基地局または他の端末から設定されてもよい。そのしきい値は送信電力（最大送信電力）などの他の値（パラメータ）に少なくとも基づいて決定（設定）されてもよい。
【００８８】
なお、ＬＡＡセルにおけるＣＣＡは、そのＬＡＡセルに接続している（設定されている）端末が認識する必要はない。
【００８９】
ＬＡＡセルは、割り当て周波数を用いるセカンダリセルとは異なるセルとして定義されてもよい。例えば、ＬＡＡセルは、割り当て周波数を用いるセカンダリセルの設定とは異なって設定される。ＬＡＡセルに設定されるパラメータの一部は、割り当て周波数を用いるセカンダリセルに設定されない。割り当て周波数を用いるセカンダリセルに設定されるパラメータの一部は、ＬＡＡセルに設定されない。本実施形態において、ＬＡＡセルは、プライマリセルおよびセカンダリセルとは異なるセルとして説明するが、ＬＡＡセルはセカンダリセルの１つとして定義されてもよい。また、従来のセカンダリセルは第１のセカンダリセルとも呼称され、ＬＡＡセルは第２のセカンダリセルとも呼称される。また、従来のプライマリセルおよびセカンダリセルは第１のサービングセルとも呼称され、ＬＡＡセルは第２のサービングセルとも呼称される。
【００９０】
また、ＬＡＡセルは、従来のフレーム構成タイプとは異なってもよい。例えば、従来のサービングセルは、第１のフレーム構成タイプ（ＦＤＤ、frame structure type 1）または第２のフレーム構成タイプ（ＴＤＤ、frame structure type 2）が用いられる（設定される）が、ＬＡＡセルは、第３のフレーム構成タイプ（frame structure type 3）が用いられる（設定される）。
【００９１】
ここで、非割り当て周波数は、所定のオペレータに対して専有周波数として割り当てられる割り当て周波数とは異なる周波数である。例えば、非割り当て周波数は、無線ＬＡＮが用いている周波数である。また、例えば、非割り当て周波数は従来のＬＴＥでは設定されない周波数であり、割り当て周波数は従来のＬＴＥで設定可能な周波数である。本実施形態において、ＬＡＡセルに設定される周波数は、非割り当て周波数として説明するが、これに限定されるものではない。すなわち、非割り当て周波数は、ＬＡＡセルに設定される周波数と置き換えることが可能である。例えば、非割り当て周波数は、プライマリセルに設定できない周波数であり、セカンダリセルのみに設定できる周波数である。例えば、非割り当て周波数は、複数のオペレータに対して共有される周波数も含む。また、例えば、非割り当て周波数は、従来のプライマリセルまたはセカンダリセルとは異なる設定、想定および／または処理がされるセルのみに設定される周波数である。
【００９２】
ＬＡＡセルは、ＬＴＥにおける無線フレーム、物理信号、および／または物理チャネルなどの構成および通信手順に関して、従来の方式とは異なる方式を用いるセルとすることができる。
【００９３】
例えば、ＬＡＡセルでは、プライマリセルおよび／またはセカンダリセルで設定（送信）される所定の信号および／またはチャネルが設定（送信）されない。その所定の信号および／またはチャネルは、ＣＲＳ、ＤＳ、ＰＤＣＣＨ、ＥＰＤＣＣＨ、ＰＤＳＣＨ、ＰＳＳ、ＳＳＳ、ＰＢＣＨ、ＰＨＩＣＨ、ＰＣＦＩＣＨ、ＣＳＩ−ＲＳおよび／またはＳＩＢなどを含む。例えば、ＬＡＡセルで設定されない信号および／またはチャネルは、以下の通りである。なお、以下で説明される信号および／またはチャネルは組み合わせて用いられてもよい。なお、本実施形態において、ＬＡＡセルで設定されない信号および／またはチャネルは、端末がそのＬＡＡセルからの送信を期待しない信号および／またはチャネルと読み替えてもよい。
（１）ＬＡＡセルでは、物理レイヤーの制御情報は、ＰＤＣＣＨで送信されず、ＥＰＤＣＣＨのみで送信される。
（２）ＬＡＡセルでは、アクティベーション（オン）であるサブフレームにおいても、全てのサブフレームでＣＲＳ、ＤＭＲＳ、ＵＲＳ、ＰＤＣＣＨ、ＥＰＤＣＣＨおよび／またはＰＤＳＣＨが送信されず、端末は全てのサブフレームで送信されていることを想定しない。
（３）ＬＡＡセルでは、端末は、アクティベーション（オン）であるサブフレームにおいて、ＤＲＳ、ＰＳＳ、および／またはＳＳＳが送信されていることを想定する。
（４）ＬＡＡセルでは、端末は、ＣＲＳのマッピングに関する情報がサブフレーム毎に通知され、その情報に基づいて、ＣＲＳのマッピングの想定を行う。例えば、ＣＲＳのマッピングの想定は、そのサブフレームの全てのリソースエレメントにマッピングされない。ＣＲＳのマッピングの想定は、そのサブフレームの一部のリソースエレメント（例えば、先頭の２ＯＦＤＭシンボルにおける全てのリソースエレメント）にマッピングされない。ＣＲＳのマッピングの想定は、そのサブフレームの全てのリソースエレメントにマッピングされる。また、例えば、ＣＲＳのマッピングに関する情報は、そのＬＡＡセルまたはそのＬＡＡセルとは異なるセルから通知される。ＣＲＳのマッピングに関する情報は、ＤＣＩに含まれ、ＰＤＣＣＨまたはＥＰＤＣＣＨによって通知される。
【００９４】
また、例えば、ＬＡＡセルでは、プライマリセルおよび／またはセカンダリセルで設定（送信）されない所定の信号および／またはチャネルが設定（送信）される。
【００９５】
また、例えば、ＬＡＡセルでは、下りリンクコンポーネントキャリアまたはサブフレームのみが定義され、下りリンク信号および／またはチャネルのみが送信される。すなわち、ＬＡＡセルでは、上りリンクコンポーネントキャリアまたはサブフレームが定義されず、上りリンク信号および／またはチャネルは送信されない。
【００９６】
また、例えば、ＬＡＡセルでは、対応できるＤＣＩ（Downlink Control Information）フォーマットが、プライマリセルおよび／またはセカンダリセルに対応できるＤＣＩフォーマットと異なる。ＬＡＡセルのみに対応するＤＣＩフォーマットが規定される。ＬＡＡセルに対応するＤＣＩフォーマットは、ＬＡＡセルのみに有効な制御情報を含む。
【００９７】
また、例えば、ＬＡＡセルでは、信号および／またはチャネルの想定が、従来のセカンダリセルと異なる。
【００９８】
まず、従来のセカンダリセルにおける信号および／またはチャネルの想定を説明する。以下の条件の一部または全部を満たす端末は、ＤＳの送信を除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのセカンダリセルによって送信されないかもしれないと想定する。また、その端末は、ＤＳがそのセカンダリセルによって常に送信されていると想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのセカンダリセルにおいて、ＤＳに基づくＲＲＭ測定が設定される。
（３）そのセカンダリセルはデアクティベーション（非活性化された状態）である。
（４）端末は、そのセカンダリセルにおいて、上位層によってＭＢＭＳを受信することが設定されていない。
【００９９】
また、そのセカンダリセルがアクティベーション（活性化された状態）である場合、端末は、設定された所定のサブフレームまたは全てのサブフレームにおいて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳがそのセカンダリセルによって送信されると想定する。
【０１００】
次に、ＬＡＡセルにおける信号および／またはチャネルの想定の一例を説明する。以下の条件の一部または全部を満たす端末は、ＤＳの送信を含めて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが、そのＬＡＡセルによって送信されないかもしれないと想定する。また、その想定は、その端末があるキャリア周波数におけるセカンダリセルにおいてアクティベーションコマンド（活性化するためのコマンド）が受信されるサブフレームまで継続する。
（１）端末がＤＳに関する設定（パラメータ）をサポートする。
（２）端末がそのＬＡＡセルにおいて、ＤＳに基づくＲＲＭ測定が設定される。
（３）そのＬＡＡセルはデアクティベーション（非活性化された状態）である。
（４）端末は、そのＬＡＡセルにおいて、上位層によってＭＢＭＳを受信することが設定されていない。
【０１０１】
また、ＬＡＡセルにおける信号および／またはチャネルの想定の別の一例を説明する。そのＬＡＡセルがデアクティベーション（非活性化された状態）である場合、そのＬＡＡセルにおける信号および／またはチャネルの想定は、従来のセカンダリセルにおける信号および／またはチャネルの想定と同じである。そのＬＡＡセルがアクティベーション（活性化された状態）である場合、そのＬＡＡセルにおける信号および／またはチャネルの想定は、従来のセカンダリセルにおける信号および／またはチャネルの想定と異なる。例えば、そのＬＡＡセルがアクティベーション（活性化された状態）である場合、端末は、そのＬＡＡセルが、そのＬＡＡセルに設定された所定のサブフレームを除いて、ＰＳＳ、ＳＳＳ、ＰＢＣＨ、ＣＲＳ、ＰＣＦＩＣＨ、ＰＤＳＣＨ、ＰＤＣＣＨ、ＥＰＤＣＣＨ、ＰＨＩＣＨ、ＤＭＲＳおよび／またはＣＳＩ−ＲＳが送信されないかもしれないと想定する。その詳細は後述する。
【０１０２】
次に、ＬＡＡセルにおける通信手順の詳細を説明する。
【０１０３】
図５は、あるＬＡＡセルにおける通信手順の一例を示す図である。図５は、サブフレーム＃０〜９で示した１０個のサブフレームと、サブフレーム＃３におけるシンボル＃０〜１３の１４個のシンボル（ＯＦＤＭシンボル）を示している。また、この一例では、ＬＡＡセルは最大４ミリ秒（４サブフレームに相当）の信号を送信でき、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図５では、ＬＡＡセルは、サブフレーム＃３におけるシンボル＃６からサブフレーム＃６における所定のシンボルまで信号を送信する。
【０１０４】
図５において、チャネルおよび／または信号が送信されない（送信できない）シンボル／サブフレームで示されたシンボルまたはサブフレームでは、そのＬＡＡは何も送信しないことを示している。また、図５において、チャネルおよび／または信号が送信される（送信できる）シンボル／サブフレームで示されたシンボルまたはサブフレームでは、そのＬＡＡは少なくともＰＤＳＣＨと、ＰＤＳＣＨに関連付けられる端末固有参照信号とを送信することを示している。また、ＰＤＳＣＨは、リソースブロックペアを単位として、それぞれの端末に対してマッピング（スケジューリング）される。そのマッピング（スケジューリング）に関する情報は、それぞれのサブフレームで送信されるＰＤＣＣＨまたはＥＰＤＣＣＨを通じて通知される。あるサブフレームにおけるＰＤＳＣＨに対するマッピング情報は、同じサブフレームで通知されてもよいし、別のサブフレームで通知されてもよい。
【０１０５】
図５において、ＬＡＡセルがサブフレーム＃３におけるシンボル＃６〜１３を用いてＰＤＳＣＨを送信する場合、そのＰＤＳＣＨを受信する端末は、そのＰＤＳＣＨがサブフレーム＃３におけるシンボル＃６〜１３にマッピングされていることを認識する必要がある。
【０１０６】
その認識する方法の一例では、そのＬＡＡセルの所定のサブフレーム（例えば、サブフレーム＃３）において、チャネルおよび／または信号が送信されるシンボルを認識するための情報が用いられる。例えば、その情報は以下のいずれか、またはそれらを組み合わせた情報である。
（１）その情報は、その所定のサブフレームにおいて、チャネルおよび／または信号が送信されるシンボルのスタートシンボルを示す情報である。スタートシンボルを示す情報は、０から１３のいずれかであり、それぞれの値がスタートシンボルとなるシンボル番号を示す。
（２）その情報は、その所定のサブフレームにおいて、チャネルおよび／または信号が送信されるシンボルのスタートシンボルを示す情報である。スタートシンボルを示す情報は、０から１３の値から予め規定された値がインデックス化されたインデックス情報である。
（３）その情報は、その所定のサブフレームにおいて、チャネルおよび／または信号が送信されるシンボルを示すビットマップの情報である。ビットマップの情報は、１４ビットで構成される。ビットマップの情報において、各ビットが一方の状態（例えば、１）である場合、チャネルおよび／または信号が送信されるシンボルを示し、各ビットがもう一方の状態（例えば、０）である場合、チャネルおよび／または信号が送信されないシンボルを示す。
（５）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３のいずれかであり、それぞれの値がその最後のシンボルとなるシンボル番号を示す。例えば、そのシンボル数を示す情報は、１から１４のいずれかであり、それぞれの値がそのシンボル数を示す。
（６）その情報は、その所定のサブフレームにおいて、チャネルおよび／または信号が送信されないシンボルの最後のシンボルを示す情報、または、チャネルおよび／または信号が送信されないシンボルシンボル数を示す情報である。例えば、その最後のシンボルは、０から１３の値から予め規定された値がインデックス化されたインデックス情報である。例えば、そのシンボル数を示す情報は、１から１４の値から予め規定された値がインデックス化されたインデックス情報である。
【０１０７】
また、チャネルおよび／または信号が送信されるシンボルを認識するための情報の通知方法は、例えば、以下のような方法を用いる。
（１）その情報は、ＲＲＣのシグナリングまたはＭＡＣのシグナリングを通じて、そのＬＡＡセルに対して設定（通知）されるパラメータにより通知される。あるサービングセルがＬＡＡセルである場合、あるサブフレームにおいて、設定されたシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１であると設定される。チャネルおよび／または信号が送信されないシンボルは、あるサブフレームにおいて、シンボル＃２〜１３であると設定される。また、この設定は、チャネルおよび／または信号によって異なっても（独立であっても）よい。例えば、あるサブフレームにおいて、端末は、ＥＰＤＣＣＨがシンボル＃２〜１３にマッピングされると設定され、ＰＤＳＣＨがシンボル＃１〜１３にマッピングされると設定される。また、例えば、ＬＡＡセルに対して設定されるＰＤＳＣＨのスタートシンボルの範囲（取りうる値）は、従来のセカンダリセルに対して設定されるＰＤＳＣＨのスタートシンボルの範囲（１〜４）とは異なることができる。ＬＡＡセルに対して設定されるＰＤＳＣＨおよび／またはＥＰＤＣＣＨのスタートシンボルの範囲は、０〜１３である。
（２）その情報は、そのＬＡＡセル、またはそのＬＡＡセルとは異なるサービングセル（アシストセル、プライマリセル、またはセカンダリセル）から送信されるＰＤＣＣＨまたはＥＰＤＣＣＨにより通知される。ＰＤＣＣＨまたはＥＰＤＣＣＨにより運ばれる（送信される）ＤＣＩはその情報を含む。
（３）その情報は、その情報を通知するためのチャネルまたは信号により通知される。その情報を通知するためのチャネルまたは信号は、ＬＡＡセルのみに対して送信される。その情報を通知するためのチャネルまたは信号は、そのＬＡＡセル、またはそのＬＡＡセルとは異なるサービングセル（アシストセル、プライマリセル、またはセカンダリセル）から送信される。
（４）その情報の候補は、ＲＲＣのシグナリングまたはＭＡＣのシグナリングを通じて、そのＬＡＡセルに対して、設定（通知）される。その情報の候補の中から、ＰＤＣＣＨまたはＥＰＤＣＣＨにより運ばれる（送信される）ＤＣＩに含まれる情報に基づいて、選択される。例えば、ＲＲＣのシグナリングまたはＭＡＣのシグナリングを通じて、４つのスタートシンボルを示す情報が設定され、それらの１つを示す２ビットの情報がＰＤＣＣＨまたはＥＰＤＣＣＨのシグナリングによって通知される。
（５）その情報は、あるサブフレームにおける所定のリソースエレメントにマッピングされるチャネルまたは信号によって通知される。例えば、その所定のリソースエレメントは、所定のシンボルにおける複数のリソースエレメントである。例えば、所定のシンボルは、そのサブフレームにおける最後のシンボルである。その情報を通知するためのチャネルまたは信号がマッピングされるサブフレームは、ＬＡＡセルにおける全てのサブフレームであってもよいし、予め規定されたサブフレームまたはＲＲＣのシグナリングによって設定されたサブフレームであってもよい。
（６）その情報は、予め規定される。あるサービングセルがＬＡＡセルである場合、あるサブフレームにおいて、所定のシンボルはチャネルおよび／または信号が送信されず、他のシンボルはチャネルおよび／または信号が送信される。例えば、チャネルおよび／または信号が送信されないシンボルは、あるサブフレームにおいて、シンボル＃０と１である。チャネルおよび／または信号が送信されないシンボルは、あるサブフレームにおいて、シンボル＃２〜１３である。また、この規定は、チャネルおよび／または信号によって異なっても（独立であっても）よい。例えば、あるサブフレームにおいて、端末は、ＥＰＤＣＣＨがシンボル＃２〜１３にマッピングされると想定し、ＰＤＳＣＨがシンボル＃１〜１３にマッピングされると想定する。
【０１０８】
その認識する方法の別の一例では、そのＬＡＡセルの所定のサブフレーム（例えば、サブフレーム＃３）において、端末がチャネルおよび／または信号が送信されるシンボルを検出する。また、端末は、その検出を行うためのアシスト情報が設定されてもよい。例えば、その検出の方法は、以下のような方法を用いる。
（１）その検出は、その所定のサブフレームにマッピングされる所定の信号に基づいて行われる。端末は、その所定のサブフレームにおいて、予め規定された信号または設定された信号が検出されたかどうかに基づいて、チャネルおよび／または信号が送信されるシンボルを検出する。端末は、その所定のサブフレームのあるシンボルにおいて、予め規定された信号または設定された信号が検出された場合、その所定のサブフレームにおいて、そのあるシンボル以降のシンボルがチャネルおよび／または信号が送信されるシンボルとして認識する。例えば、予め規定された信号または設定された信号は、ＣＲＳ、ＤＭＲＳ、および／またはＵＲＳである。
（２）その検出は、その所定のサブフレームにマッピングされる所定のチャネルに基づいて行われる。端末は、その所定のサブフレームにおいて、予め規定されたチャネルまたは設定されたチャネルが検出されたかどうかに基づいて、チャネルおよび／または信号が送信されるシンボルを検出する。端末は、その所定のサブフレームのあるシンボルにおいて、予め規定されたチャネルまたは設定されたチャネルが検出された場合、その所定のサブフレームにおいて、そのあるシンボル以降のシンボルがチャネルおよび／または信号が送信されるシンボルとして認識する。例えば、予め規定されたチャネルまたは設定されたチャネルは、ＥＰＤＣＣＨである。具体的には、端末は、その所定のサブフレームにおいて、あるシンボル以降のシンボルにＥＰＤＣＣＨがマッピングされていると想定して、ＥＰＤＣＣＨのモニタリング（検出処理、ブラインド検出）を行う。ここで、端末は、ＥＰＤＣＣＨがマッピングされていると想定するスタートシンボルをブラインド検出してもよい。また、ＥＰＤＣＣＨがマッピングされていると想定するスタートシンボルまたはスタートシンボルの候補は、予め規定されてもよいし、設定されてもよい。
【０１０９】
また、図５のサブフレーム＃３において、ＰＤＣＣＨ、ＥＰＤＣＣＨおよび／またはＰＤＳＣＨのリソースエレメントへのマッピング方法が、他のサブフレームにおけるマッピング方法と異なってもよい。  例えば、そのマッピング方法は、以下の方法を用いることができる。なお、以下のマッピング方法（マッピング順序）は、参照信号や同期信号などの他の信号にも適用できる。
（１）そのマッピング方法は、ＰＤＣＣＨ、ＥＰＤＣＣＨおよび／またはＰＤＳＣＨがそのサブフレームにおける最後のシンボルからマッピングされる。すなわち、ＰＤＣＣＨ、ＥＰＤＣＣＨおよび／またはＰＤＳＣＨのリソースエレメント（ｋ，ｌ）へのマッピングは、割り当てられた物理リソースブロックであり、マッピングが可能なリソースエレメントにおいて、ＯＦＤＭシンボル番号ｌが最大のＯＦＤＭシンボル（すなわち、スロットにおける最後のシンボル）から順にマッピングされる。また、マッピングは、サブフレームの最後のスロット（２番目のスロット）から順に行われる。また、それぞれのＯＦＤＭシンボルでは、それらのチャネルはサブキャリア番号ｋが最小のサブキャリアから順にマッピングされる。
（２）そのマッピング方法は、ＰＤＣＣＨ、ＥＰＤＣＣＨおよび／またはＰＤＳＣＨは、チャネルおよび／または信号が送信されないシンボルをスキップして、チャネルおよび／または信号が送信されるシンボル内のリソースエレメントに対してマッピングされる。すなわち、ＰＤＣＣＨ、ＥＰＤＣＣＨおよび／またはＰＤＳＣＨのマッピングにおいて、チャネルおよび／または信号が送信されないシンボルのリソースエレメントはレートマッチングされる。
（３）そのマッピング方法は、ＰＤＣＣＨ、ＥＰＤＣＣＨおよび／またはＰＤＳＣＨは、チャネルおよび／または信号が送信されないシンボルをスキップせずに、チャネルおよび／または信号が送信されるシンボル内のリソースエレメントに対してマッピングされる。換言すると、ＰＤＣＣＨ、ＥＰＤＣＣＨおよび／またはＰＤＳＣＨは、チャネルおよび／または信号が送信されるシンボルとチャネルおよび／または信号が送信されないシンボルとを区別せずにマッピングが適用されるが、チャネルおよび／または信号が送信されないシンボルにマッピングされるチャネルは送信されず、チャネルおよび／または信号が送信されるシンボルにマッピングされるチャネルが送信される。すなわち、ＰＤＣＣＨ、ＥＰＤＣＣＨおよび／またはＰＤＳＣＨのマッピングにおいて、チャネルおよび／または信号が送信されないシンボルのリソースエレメントはパンクチャリングされる。
【０１１０】
図６は、あるＬＡＡセルにおける通信手順の一例を示す図である。以下では、図５で説明した内容との違いを説明する。この一例では、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。ＬＡＡセルは、サブフレーム＃３におけるシンボル＃５からサブフレーム＃６における所定のシンボルまで信号を送信する。
【０１１１】
図６の一例では、サブフレーム＃３におけるシンボル＃６および７は、予約信号が送信されるシンボルである。予約信号は、ＣＣＡを行うシンボル（すなわち、シンボル＃５）の直後から、チャネルおよび／または信号が送信されるシンボル（すなわち、シンボル＃６）の直前まで、送信される。この予約信号による効果は以下の通りである。図５で説明したように、チャネルおよび／または信号が送信されるシンボルの候補が、予め規定される場合または設定される場合においても、ＬＡＡセルは、ＣＣＡをその候補の数に依存せずに柔軟に行うことができる。
【０１１２】
予約信号は、そのＬＡＡセルから送信されるチャネルおよび／または信号を受信する端末であっても、受信（認識）されなくてもよい。すなわち、予約信号は、ＣＣＡを行った後にチャネルおよび／または信号を送信できない場合、そのＣＣＡを行ったＬＡＡセルがその周波数を確保（予約）するために送信される。
【０１１３】
予約信号が送信されるシンボルは、チャネルおよび／または信号が送信されるシンボルで送信されるチャネルおよび／または信号とは異なるチャネルおよび／または信号がマッピングされてもよい。すなわち、予約信号が送信されるシンボルにマッピングされるチャネルおよび／または信号は、端末に認識（受信）される。例えば、端末は、予約信号が送信されるシンボルにマッピングされるチャネルおよび／または信号に基づいて、チャネルおよび／または信号が送信されるシンボルを識別する。また、例えば、端末は、予約信号が送信されるシンボルにマッピングされるチャネルおよび／または信号を用いて、そのＬＡＡセルと同期（同定）する。
【０１１４】
図７は、あるＬＡＡセルにおける通信手順の一例を示す図である。以下では、図５で説明した内容との違いを説明する。この一例では、図５の一例と同様に、サブフレーム＃３におけるシンボル＃５でＣＣＡが行われる。また、ＬＡＡセルは、そのＣＣＡにおいて、その周波数がアイドル状態であることを識別し、その直後のシンボルから信号が送信できる場合を想定する。図７では、ＬＡＡセルは、サブフレーム＃３におけるシンボル＃６から、４ミリ秒後のサブフレーム＃７におけるシンボル＃５まで信号を送信する。
【０１１５】
図７の一例では、ＬＡＡセルは、ＣＣＡを行うシンボルを含むサブフレームにおいて、ＣＣＡを行うシンボル直後のシンボルから最後のシンボルまで、予約信号を送信する。また、ＬＡＡセルは、ＣＣＡを行うシンボルを含むサブフレームの次のサブフレームから、チャネルおよび／または信号を送信する。また、図７における予約信号は、図６で説明された予約信号を含む。
【０１１６】
例えば、図７において、端末は、サブフレーム＃４以降のサブフレームで、チャネルおよび／または信号が送信されると想定することができる。これにより、端末は、サブフレームの最初のシンボルからチャネルおよび／または信号が送信されると想定する。そのため、ＬＡＡセルを含む基地局は、その端末に対して、チャネルおよび／または信号の送信と、そのチャネルおよび／または信号のための制御情報の通知に関して、従来と同様の方法を用いることができる。
【０１１７】
また、図７では、ＬＡＡセルは、サブフレーム＃７において、最初のシンボルからシンボル＃５まで、チャネルおよび／または信号を送信できる。例えば、ＬＡＡセルは、端末に対して、サブフレーム＃７における所定のシンボルからシンボル＃５までのリソースにマッピングされるＰＤＳＣＨおよび／またはＥＰＤＣＣＨを送信できる。また、ＬＡＡセルは、端末に対して、サブフレーム＃７における最初のシンボルから所定のシンボルまでのリソースにマッピングされるＰＤＣＣＨを送信できる。例えば、所定のシンボルは、ＰＣＦＩＣＨで送信される情報であり、ＰＤＣＣＨの送信のために用いられるＯＦＤＭシンボルの数についての情報に基づいて決まる。また、例えば、所定のシンボルは、ＲＲＣのシグナリングによって設定される制御情報であり、ＥＰＤＣＣＨ、ＰＤＣＣＨによってスケジューリングされるＰＤＳＣＨ、およびＥＰＤＣＣＨによってスケジューリングされるＰＤＳＣＨのためのＯＦＤＭスタートシンボルを示す情報に基づいて決まる。
【０１１８】
また、図７では、ＬＡＡセルは、サブフレーム＃７において、チャネルおよび／または信号が送信される最後のシンボルを、端末に通知または設定することができる。ＬＡＡセルのあるサブフレームにおいて、端末がその最後のシンボルを認識するための情報とその情報の通知方法は、図５の一例で説明された方法を使用できる。図５の一例で説明された方法は、図５におけるチャネルおよび／または信号が送信されるシンボルを認識するための情報とその情報の通知方法である。例えば、ＬＡＡセルは、その最後のシンボルに関する情報を、サブフレーム＃７で送信されるＰＤＣＣＨまたはＥＰＤＣＣＨで通知されるＤＣＩに含める。これにより、ＬＡＡセルは、図７におけるサブフレーム＃７のように、チャネルおよび／または信号をサブフレームの途中のシンボルまで送信できる場合に、効率よくリソースを使用できる。また、例えば、ＬＡＡセルは、その最後のシンボルに関する情報を、ＲＲＣのシグナリングまたはＭＡＣのシグナリングによって設定される情報に含める。
【０１１９】
また、図７において、サブフレーム＃３における送信方法とサブフレーム＃７における送信方法とが組み合わせて用いられる方法が説明されたが、これに限定されるものではない。サブフレーム＃３における送信方法とサブフレーム＃７における送信方法はそれぞれ独立に用いられてもよい。また、図５〜７で説明された方法の一部または全部が、それぞれ組み合わせて用いられてもよい。
【０１２０】
また、図７のサブフレーム＃７において、ＰＤＣＣＨ、ＥＰＤＣＣＨおよび／またはＰＤＳＣＨのリソースエレメントへのマッピングが、他のサブフレームにおけるマッピングと異なってもよい。
【０１２１】
また、ＬＡＡセルにおいて、１つのサブフレームにおける全てのＯＦＤＭシンボルにチャネルおよび／または信号を送信できるサブフレーム（すなわち、図５〜７におけるサブフレーム＃４〜６）は、１つのサブフレームにおける一部のＯＦＤＭシンボルにチャネルおよび／または信号を送信できないサブフレーム（すなわち、図５〜７におけるサブフレーム＃３、および図７におけるサブフレーム＃７）とは異なるサブフレームとして、認識、設定、または通知されてもよい。例えば、１つのサブフレームにおける全てのＯＦＤＭシンボルにチャネルおよび／または信号を送信できるサブフレームは、従来のサービングセルにおけるサブフレームと同等である。
【０１２２】
本実施形態において、１つのサブフレームにおける全てのＯＦＤＭシンボルにチャネルおよび／または信号を送信できないサブフレームは、第１のＬＡＡサブフレームとも呼称される。１つのサブフレームにおける一部のＯＦＤＭシンボルにチャネルおよび／または信号を送信できないサブフレームは、第２のＬＡＡサブフレームとも呼称される。１つのサブフレームにおける全てのＯＦＤＭシンボルにチャネルおよび／または信号を送信できるサブフレームは、第３のＬＡＡサブフレームとも呼称される。
【０１２３】
また、端末が第１のＬＡＡサブフレームと第２のＬＡＡサブフレームと第３のＬＡＡサブフレームとを認識するための方法は、本実施形態において説明された方法を用いることができる。例えば、それらを認識するための方法は、チャネルおよび／または信号が送信されるシンボルを認識するための情報と、その通知方法を用いる。
【０１２４】
また、端末が第１のＬＡＡサブフレームと第２のＬＡＡサブフレームと第３のＬＡＡサブフレームとを認識するための方法は、ＰＤＣＣＨまたはＲＲＣのシグナリングによって、明示的に通知または設定されてもよい。
【０１２５】
また、端末が第１のＬＡＡサブフレームと第２のＬＡＡサブフレームと第３のＬＡＡサブフレームとを認識するための方法は、ＰＤＣＣＨまたはＲＲＣのシグナリングによって通知または設定される情報（パラメータ）に基づいて、黙示的に通知または設定されてもよい。例えば、端末は、ＣＲＳのマッピングに関する情報に基づいて、第１のＬＡＡサブフレームと第２のＬＡＡサブフレームと第３のＬＡＡサブフレームとを認識する。
【０１２６】
また、端末が、あるサブフレームが第２のＬＡＡサブフレームであると認識した場合、そのあるサブフレームの次のサブフレーム以降の所定数のサブフレームが第３のＬＡＡサブフレームであると認識する。また、端末は、第３のＬＡＡサブフレームであると認識した最後のサブフレームの次のサブフレーム以降のサブフレームが、第２のＬＡＡサブフレームであると認識するまで、第１のＬＡＡサブフレームであると認識する。また、その所定数（すなわち、第３のＬＡＡサブフレームであると認識するサブフレーム数）は、予め規定されてもよい。その所定数は、ＬＡＡセルにおいて設定されてもよい。その所定数は、第２のＬＡＡサブフレームにマッピングされるチャネルおよび／または信号によって通知されてもよい。
【０１２７】
また、第２のＬＡＡサブフレームと第３のＬＡＡサブフレームにおいて、ＰＤＳＣＨおよび／またはＥＰＤＣＣＨのスタートシンボルがそれぞれ独立に規定または設定される。
【０１２８】
また、図５〜７において、ＣＣＡは、１つのサブフレームで行われることを示したが、ＣＣＡを行う時間（期間）はこれに限定されるものではない。ＣＣＡを行う時間は、ＬＡＡセル毎、ＣＣＡのタイミング毎、ＣＣＡの実行毎に変動してもよい。例えば、ＣＣＡは、所定の時間スロット（時間間隔、時間領域）に基づいた時間で行う。その所定の時間スロットは、１つのサブフレームを所定数に分割した時間で規定または設定されてもよい。その所定の時間スロットは、所定数のサブフレームで規定または設定されてもよい。
【０１２９】
また、本実施形態において、ＣＣＡを行う時間（時間スロット）や、あるサブフレームにおいてチャネルおよび／または信号が送信される（送信できる）時間などの、時間領域におけるフィールドのサイズは、所定の時間ユニットを用いて表現できる。例えば、時間領域におけるフィールドのサイズは、いくつかの時間ユニットＴｓとして表現される。Ｔｓは、1/(15000*2048)秒である。例えば、１つのサブフレームの時間は、30720*Ts（１ミリ秒）である。
【０１３０】
また、図５〜７におけるサブフレーム＃３のように、ＬＡＡセルがあるサブフレームにおける途中のシンボルから、チャネルおよび／または信号（予約信号を含む）を送信できるか否かが、端末またはＬＡＡセルに対して設定されてもよい。例えば、端末は、ＲＲＣのシグナリングによって、ＬＡＡセルに関する設定において、そのような送信が可能かどうかを示す情報が設定される。端末は、その情報に基づいて、ＬＡＡセルにおける受信（モニタリング、認識、復号）に関する処理を切り替える。
【０１３１】
また、途中のシンボルから送信が可能なサブフレーム（途中のシンボルまで送信が可能なサブフレームも含む）は、ＬＡＡセルにおける全てのサブフレームでもよい。また、途中のシンボルから送信が可能なサブフレームは、ＬＡＡセルに対して予め規定されたサブフレームまたは設定されたサブフレームでもよい。
【０１３２】
また、途中のシンボルから送信が可能なサブフレーム（途中のシンボルまで送信が可能なサブフレームも含む）は、ＴＤＤの上りリンク下りリンク設定（ＵＬ／ＤＬ設定）に基づいて設定、通知または決定されることができる。例えば、そのようなサブフレームは、ＵＬ／ＤＬ設定でスペシャルサブフレームと通知（指定）されたサブフレームである。ＬＡＡセルにおけるスペシャルサブフレームは、ＤｗＰＴＳ（Downlink Pilot Time Slot）、ＧＰ（Guard Period）およびＵｐＰＴＳ（Uplink Pilot Time Slot）の３つのフィールドのうち少なくとも１つを含むサブフレームである。ＬＡＡセルにおけるスペシャルサブフレームに関する設定が、ＲＲＣのシグナリング、ＰＤＣＣＨまたはＥＰＤＣＣＨのシグナリングによって設定または通知されてもよい。この設定は、ＤｗＰＴＳ、ＧＰおよびＵｐＰＴＳの少なくとも１つに対する時間の長さを設定する。また、この設定は、予め規定された時間の長さの候補を示すインデックス情報である。また、この設定は、従来のＴＤＤセルに設定されるスペシャルサブフレーム設定で用いられるＤｗＰＴＳ、ＧＰおよびＵｐＰＴＳと同じ時間の長さを用いることができる。すなわち、あるサブフレームにおいて送信が可能な時間の長さは、ＤｗＰＴＳ、ＧＰおよびＵｐＰＴＳのいずれかに基づいて決まる。
【０１３３】
また、本実施形態において、予約信号は、その予約信号を送信しているＬＡＡセルとは異なるＬＡＡセルが受信できる信号とすることができる。例えば、その予約信号を送信しているＬＡＡセルとは異なるＬＡＡセルは、その予約信号を送信しているＬＡＡセルに隣接しているＬＡＡセル（隣接ＬＡＡセル）である。例えば、その予約信号は、そのＬＡＡセルにおける所定のサブフレームおよび／またはシンボルの送信状況（使用状況）に関する情報を含む。ある予約信号を送信しているＬＡＡセルとは異なるＬＡＡセルがその予約信号を受信した場合、その予約信号を受信したＬＡＡセルは、その予約信号に基づいて、所定のサブフレームおよび／またはシンボルの送信状況を認識し、その状況に応じてスケジューリングを行う。
【０１３４】
また、その予約信号を受信したＬＡＡセルは、チャネルおよび／または信号を送信する前に、ＬＢＴを行ってもよい。そのＬＢＴは、受信した予約信号に基づいて行われる。例えば、そのＬＢＴにおいて、予約信号を送信したＬＡＡセルが送信する（送信すると想定される）チャネルおよび／または信号を考慮して、リソース割り当てやＭＣＳの選択などを含むスケジューリングを行う。
【０１３５】
また、その予約信号を受信したＬＡＡセルがその予約信号に基づいてチャネルおよび／または信号を送信するスケジューリングを行った場合、所定の方法により、その予約信号を送信したＬＡＡセルを含む１つ以上のＬＡＡセルにそのスケジューリングに関する情報を通知することができる。例えば、その所定の方法は、予約信号を含む所定のチャネルおよび／または信号を送信する方法である。また、例えば、その所定の方法は、Ｘ２インターフェースなどのバックホールを通じて通知する方法である。
【０１３６】
また、キャリアアグリゲーションおよび／またはデュアルコネクティビティにおいて、従来の端末は５つまでのサービングセルを設定することができたが、本実施形態における端末は設定できるサービングセルの最大数を拡張することができる。すなわち、本実施形態における端末は、５つを超えるサービングセルを設定できる。例えば、本実施形態における端末は１６個または３２個までのサービングセルを設定できる。例えば、本実施形態における端末に設定される５つを超えるサービングセルは、ＬＡＡセルを含む。また、本実施形態における端末に設定される５つを超えるサービングセルは、全てＬＡＡセルであってもよい。
【０１３７】
また、５つを超えるサービングセルを設定できる場合において、一部のサービングセルに関する設定は従来のサービングセル（すなわち、従来のセカンダリセル）の設定と異なってもよい。例えば、その設定に関して、以下が異なる。以下で説明する設定は、組み合わせて用いられてもよい。
（１）端末は、従来のサービングセルが５つまで設定され、従来とは異なるサービングセルが１１個または２７個まで設定される。すなわち、端末は、従来のプライマリセルに加えて、従来のセカンダリセルが４つまで設定され、従来とは異なるセカンダリセルが１１個または２７個まで設定される。
（２）従来とは異なるサービングセル（セカンダリセル）に関する設定は、ＬＡＡセルに関する設定を含む。例えば、端末は、従来のプライマリセルに加えて、ＬＡＡセルに関する設定を含まないセカンダリセルが４つまで設定され、従来とは異なるセカンダリセルが１１個または２７個まで設定される。
【０１３８】
また、５つを超えるサービングセルを設定できる場合において、基地局（ＬＡＡセルを含む）および／または端末は、５つまでのサービングセルを設定する場合と異なる処理または想定を行うことができる。例えば、その処理または想定に関して、以下が異なる。以下で説明する処理または想定は、組み合わせて用いられてもよい。
（１）端末は、５つを超えるサービングセルが設定された場合でも、ＰＤＣＣＨ、ＥＰＤＣＣＨおよび／またはＰＤＳＣＨは最大５つのサービングセルから同時に送信される（受信する）と想定する。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（２）端末は、５つを超えるサービングセルが設定された場合、それらのサービングセルにおいて、ＰＤＳＣＨに対するＨＡＲＱ−ＡＣＫのバンドリングを行うセルの組み合わせ（グループ）が設定される。例えば、全てのサービングセル、全てのセカンダリセル、全てのＬＡＡセル、または全ての従来とは異なるセカンダリセルは、それぞれサービングセル間におけるＨＡＲＱ−ＡＣＫのバンドリングに関する情報（設定）を含む。例えば、サービングセル間におけるＨＡＲＱ−ＡＣＫのバンドリングに関する情報は、そのバンドリングを行う識別子（インデックス、ＩＤ）である。例えば、ＨＡＲＱ−ＡＣＫは、そのバンドリングを行う識別子が同じセルを渡って、バンドリングされる。そのバンドリングは、対象となるＨＡＲＱ−ＡＣＫに対して論理積演算によって行われる。また、そのバンドリングを行う識別子の最大数は５にすることができる。また、そのバンドリングを行う識別子の最大数は、そのバンドリングを行わないセルの数を含めて５にすることができる。すなわち、サービングセルを超えてバンドリングを行うグループの数を最大５にすることができる。これにより、端末は、ＰＤＣＣＨ、ＥＰＤＣＣＨおよび／またはＰＤＳＣＨの受信と、そのＰＤＳＣＨに対するＨＡＲＱ−ＡＣＫの送信について、従来と同様の方法を用いることができる。
（３）端末は、５つを超えるサービングセルが設定された場合、それらのサービングセルにおいて、ＰＤＳＣＨに対するＨＡＲＱ−ＡＣＫの多重（multiplexing）を行うセルの組み合わせ（グループ）が設定される。ＰＤＳＣＨに対するＨＡＲＱ−ＡＣＫの多重を行うセルの組み合わせ（グループ）が設定される場合、多重されたＨＡＲＱ−ＡＣＫは、そのグループに基づいてＰＵＣＣＨまたはＰＵＳＣＨにより送信される。それぞれのグループにおいて、多重されるサービングセルの最大数が規定または設定される。その最大数は、端末に設定されるサービングセルの最大数に基づいて規定または設定される。例えば、その最大数は、端末に設定されるサービングセルの最大数と同数、または、端末に設定されるサービングセルの最大数の半数である。また、同時に送信されるＰＵＣＣＨの最大数は、それぞれのグループにおいて多重されるサービングセルの最大数と、端末に設定されるサービングセルの最大数とに基づいて、規定または設定される。
【０１３９】
換言すると、設定される第１のサービングセル（すなわち、プライマリセルおよび／またはセカンダリセル）の数は所定数（すなわち、５）以下であり、設定される前記第１のサービングセルと前記第２のサービングセル（すなわち、ＬＡＡセル）の合計は前記所定数を超える。
【０１４０】
次に、ＬＡＡに関連する端末ケイパビリティを説明する。端末は、基地局からの指示に基づいて、ＲＲＣのシグナリングによって、その端末のケイパビリティ（能力）に関する情報（端末ケイパビリティ）を基地局に通知（送信）する。ある機能（特徴）に対する端末ケイパビリティは、その機能（特徴）をサポートする場合に通知（送信）され、その機能（特徴）をサポートしない場合に通知（送信）されない。また、ある機能（特徴）に対する端末ケイパビリティは、その機能（特徴）のテストおよび／または実装が完了しているかどうかを示す情報であってもよい。例えば、本実施形態における端末ケイパビリティは、以下の通りである。以下で説明する端末ケイパビリティは、組み合わせて用いられてもよい。
（１）ＬＡＡセルのサポートに関する端末ケイパビリティと、５つを超えるサービングセルの設定のサポートに関する端末ケイパビリティは、それぞれ独立に定義される。例えば、ＬＡＡセルをサポートする端末は、５つを超えるサービングセルの設定をサポートする。すなわち、５つを超えるサービングセルの設定をサポートしない端末は、ＬＡＡセルをサポートしない。その場合、５つを超えるサービングセルの設定をサポートする端末は、ＬＡＡセルをサポートしてもよいし、しなくてもよい。
（２）ＬＡＡセルのサポートに関する端末ケイパビリティと、５つを超えるサービングセルの設定のサポートに関する端末ケイパビリティは、それぞれ独立に定義される。例えば、５つを超えるサービングセルの設定をサポートする端末は、ＬＡＡセルをサポートする。すなわち、ＬＡＡセルをサポートしない端末は、５つを超えるサービングセルの設定をサポートしない。その場合、ＬＡＡセルをサポートする端末は、５つを超えるサービングセルの設定をサポートしてもよいし、しなくてもよい。
（３）ＬＡＡセルにおける下りリンクに関する端末ケイパビリティと、ＬＡＡセルにおける上りリンクに関する端末ケイパビリティは、それぞれ独立に定義される。例えば、ＬＡＡセルにおける上りリンクをサポートする端末は、ＬＡＡセルにおける下りリンクをサポートする。すなわち、ＬＡＡセルにおける下りリンクをサポートしない端末は、ＬＡＡセルにおける上りリンクをサポートしない。その場合、ＬＡＡセルにおける下りリンクをサポートする端末は、ＬＡＡセルにおける上りリンクをサポートしてもよいし、サポートしなくてもよい。
（４）ＬＡＡセルのサポートに関する端末ケイパビリティは、ＬＡＡセルのみに設定される送信モードのサポートを含む。
（５）５つを超えるサービングセルの設定における下りリンクに関する端末ケイパビリティと、５つを超えるサービングセルの設定における上りリンクに関する端末ケイパビリティは、それぞれ独立に定義される。例えば、５つを超えるサービングセルの設定における上りリンクをサポートする端末は、５つを超えるサービングセルの設定における下りリンクをサポートする。すなわち、５つを超えるサービングセルの設定における下りリンクをサポートしない端末は、５つを超えるサービングセルの設定における上りリンクをサポートしない。その場合、５つを超えるサービングセルの設定における下りリンクをサポートする端末は、５つを超えるサービングセルの設定における上りリンクをサポートしてもよいし、サポートしなくてもよい。
（６）５つを超えるサービングセルの設定における端末ケイパビリティにおいて、最大１６個の下りリンクサービングセル（コンポーネントキャリア）の設定をサポートする端末ケイパビリティと、最大３２個の下りリンクサービングセルの設定をサポートする端末ケイパビリティは、それぞれ独立に定義される。また、最大１６個の下りリンクサービングセルの設定をサポートする端末は、少なくとも１つの上りリンクサービングセルの設定をサポートする。最大３２個の下りリンクサービングセルの設定をサポートする端末は、少なくとも２つの上りリンクサービングセルの設定をサポートする。すなわち、最大１６個の下りリンクサービングセルの設定をサポートする端末は、２つ以上の上りリンクサービングセルの設定をサポートしなくてもよい。
（７）ＬＡＡセルのサポートに関する端末ケイパビリティは、ＬＡＡセルで用いられる周波数（バンド）に基づいて通知される。例えば、端末がサポートする周波数または周波数の組み合わせの通知において、通知される周波数または周波数の組み合わせがＬＡＡセルで用いられる周波数を少なくとも１つ含む場合、その端末はＬＡＡセルをサポートすることを黙示的に通知する。すなわち、通知される周波数または周波数の組み合わせがＬＡＡセルで用いられる周波数を全く含まない場合、その端末はＬＡＡセルをサポートしないことを黙示的に通知する。
【０１４１】
また、本実施形態において、ＬＡＡセルが、そのＬＡＡセルで送信されるＰＤＳＣＨのためのＤＣＩを通知するＰＤＣＣＨまたはＥＰＤＣＣＨを、送信する場合（すなわち、セルフスケジューリングの場合）を説明したが、これに限定されるものではない。例えば、ＬＡＡセルとは異なるサービングセルが、そのＬＡＡセルで送信されるＰＤＳＣＨのためのＤＣＩを通知するＰＤＣＣＨまたはＥＰＤＣＣＨを、送信する場合（すなわち、クロスキャリアスケジューリングの場合）においても、本実施形態で説明された方法は適用できる。
【０１４２】
また、本実施形態において、チャネルおよび／または信号が送信されるシンボルを認識するための情報は、チャネルおよび／または信号が送信されないシンボルに基づいてもよい。例えば、その情報は、チャネルおよび／または信号が送信されないシンボルの最後のシンボルを示す情報である。また、チャネルおよび／または信号が送信されるシンボルを認識するための情報は、他の情報またはパラメータに基づいて決まってもよい。
【０１４３】
また、本実施形態において、チャネルおよび／または信号が送信されるシンボルは、チャネルおよび／または信号に対して独立に設定（通知、規定）されてもよい。すなわち、チャネルおよび／または信号が送信されるシンボルを認識するための情報と、その通知方法は、チャネルおよび／または信号に対して、それぞれ独立に設定（通知、規定）できる。例えば、チャネルおよび／または信号が送信されるシンボルを認識するための情報と、その通知方法は、ＰＤＳＣＨとＥＰＤＣＣＨでそれぞれ独立に設定（通知、規定）できる。
【０１４４】
また、本実施形態において、チャネルおよび／または信号が送信されない（送信できない）シンボル／サブフレームは、端末の観点から、チャネルおよび／または信号が送信される（送信できる）と想定されないシンボル／サブフレームとしてもよい。すなわち、その端末は、そのＬＡＡセルがそのシンボル／サブフレームでチャネルおよび／または信号を送信していないと見なすことができる。
【０１４５】
また、本実施形態において、チャネルおよび／または信号が送信される（送信できる）シンボル／サブフレームは、端末の観点から、チャネルおよび／または信号が送信されるかもしれないと想定するシンボル／サブフレームとしてもよい。すなわち、その端末は、そのＬＡＡセルがそのシンボル／サブフレームでチャネルおよび／または信号を送信しているかもしれないし、送信していないかもしれないと見なすことができる。
【０１４６】
また、本実施形態において、チャネルおよび／または信号が送信される（送信できる）シンボル／サブフレームは、端末の観点から、チャネルおよび／または信号が必ず送信されていると想定するシンボル／サブフレームとしてもよい。すなわち、その端末は、そのＬＡＡセルがそのシンボル／サブフレームでチャネルおよび／または信号を必ず送信していると見なすことができる。
【０１４７】
また、本実施形態において説明された内容の一部を換言すると以下の通りである。
【０１４８】
基地局装置と通信する端末装置であって、少なくとも１つの第１のサービングセル（例えば、プライマリセルおよび／またはセカンダリセル）と少なくとも１つの第２のサービングセル（例えば、ＬＡＡセル）を設定する上位層処理部と、第１のサービングセルおよび／または第２のサービングセルにおける物理下りリンク共用チャネルを受信する受信部とを備える。第１のサービングセルにおける物理下りリンク共用チャネルは、全てのサブフレームにおいて、最後のＯＦＤＭシンボルまでマッピングされ、第２のサービングセルにおける物理下りリンク共用チャネルは、所定のサブフレームにおいて、第１のＯＦＤＭシンボルまでマッピングされる。
【０１４９】
受信部は、第２のサービングセルの所定のサブフレームにおいて、第２のＯＦＤＭシンボルまでマッピングされる物理下りリンク制御チャネル、または、第１のＯＦＤＭシンボルまでマッピングされる拡張物理下りリンク制御チャネルを受信する。物理下りリンク制御チャネルまたは拡張物理下りリンク制御チャネルは、物理下りリンク共用チャネルのスケジューリングのために用いられる下りリンク制御情報フォーマットを含む。
【０１５０】
第１のＯＦＤＭシンボルは、下りリンク制御情報フォーマットを用いて送信される情報によって通知される。
【０１５１】
第１のＯＦＤＭシンボルおよび第２のＯＦＤＭシンボルは、上位層のシグナリングによってそれぞれ独立に設定される。
【０１５２】
受信部は、所定のサブフレームより前の所定数のサブフレームのそれぞれにおいて、最後のＯＦＤＭシンボルまでマッピングされる物理下りリンク共用チャネルを受信する。
【０１５３】
第１のＯＦＤＭシンボルは、ＴＤＤセルのスペシャルサブフレームにおけるＤｗＰＴＳを用いて通知される。
【０１５４】
端末装置と通信する基地局装置であって、少なくとも１つの第１のサービングセルと少なくとも１つの第２のサービングセルを端末装置に設定する上位層処理部と、第１のサービングセルおよび／または第２のサービングセルにおける物理下りリンク共用チャネルを送信する送信部とを備える。第１のサービングセルにおける物理下りリンク共用チャネルは、全てのサブフレームにおいて、最後のＯＦＤＭシンボルまでマッピングされる。第２のサービングセルにおける物理下りリンク共用チャネルは、所定のサブフレームにおいて、第１のＯＦＤＭシンボルまでマッピングされる。
【０１５５】
基地局装置と通信する端末装置であって、少なくとも１つの第１のサービングセルと少なくとも１つの第２のサービングセルを設定する上位層処理部と、第１のサービングセルおよび／または第２のサービングセルにおける物理下りリンク共用チャネルを受信する受信部とを備える。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【０１５６】
受信部は、第２のサービングセルの所定のサブフレームにおいて、第３のＯＦＤＭシンボル以降にマッピングされる拡張物理下りリンク制御チャネルを受信する。拡張物理下りリンク制御チャネルは、物理下りリンク共用チャネルのスケジューリングのために用いられる下りリンク制御情報フォーマットを含む。
【０１５７】
第２のＯＦＤＭシンボルは、下りリンク制御情報フォーマットを用いて送信される情報によって通知される。
【０１５８】
第２のＯＦＤＭシンボルおよび第３のＯＦＤＭシンボルは、上位層のシグナリングによってそれぞれ独立に設定される。
【０１５９】
受信部は、所定のサブフレームより後の所定数のサブフレームのそれぞれにおいて、第１のＯＦＤＭシンボルから最後のＯＦＤＭシンボルまでマッピングされるＰＤＳＣＨを受信する。
【０１６０】
端末装置と通信する基地局装置であって、少なくとも１つの第１のサービングセルと少なくとも１つの第２のサービングセルを端末装置に設定する上位層処理部と、第１のサービングセルおよび／または第２のサービングセルにおける物理下りリンク共用チャネルを送信する送信部とを備える。第１のサービングセルにおける物理下りリンク共用チャネルは、全てのサブフレームにおいて、上位層のシグナリングによって設定される第１のＯＦＤＭシンボル以降にマッピングされる。第２のサービングセルにおける物理下りリンク共用チャネルは、所定のサブフレームにおいて、第２のＯＦＤＭシンボル以降にマッピングされる。
【０１６１】
基地局装置と通信する端末装置であって、少なくとも１つの第１のサービングセルと少なくとも１つの第２のサービングセルを設定する上位層処理部を備える。第１のサービングセルのいずれか１つはプライマリセルである。プライマリセル以外の第１のサービングセルはセカンダリセルである。第２のサービングセルはセカンダリセルである。第２のサービングセルであるセカンダリセルの設定は、第１のサービングセルであるセカンダリセルの設定と異なる。
【０１６２】
第１のサービングセルに設定可能な周波数と第２のサービングセルに設定可能な周波数は異なる。
【０１６３】
第２のサービングセルは、活性化された状態における信号および／またはチャネルの想定に関して、第１のサービングセルとは異なる。
【０１６４】
第２のサービングセルにおいて、活性化された状態における信号および／またはチャネルの想定は、サブフレーム毎に決まる。
【０１６５】
第２のサービングセルの所定のサブフレームにおいて、上位層のシグナリングによって設定される所定のＯＦＤＭシンボルは信号および／またはチャネルがマッピングされない。
【０１６６】
設定される第１のサービングセルの数は所定数以下であり、設定される第１のサービングセルと第２のサービングセルの合計は所定数を超える。
【０１６７】
第１のサービングセルにおいて、下りリンクチャネルと上りリンクチャネルがサポートされる。  第２のサービングセルにおいて、下りリンクチャネルのみがサポートされる。
【０１６８】
端末装置と通信する基地局装置であって、少なくとも１つの第１のサービングセルと少なくとも１つの第２のサービングセルを端末装置に設定する上位層処理部を備える。第１のサービングセルのいずれか１つはプライマリセルである。プライマリセル以外の第１のサービングセルはセカンダリセルである。第２のサービングセルはセカンダリセルである。第２のサービングセルであるセカンダリセルの設定は、第１のサービングセルであるセカンダリセルの設定と異なる。
【０１６９】
また、上記各実施形態では、プライマリセルやＰＳセルという用語を用いて説明したが、必ずしもこれらの用語を用いる必要はない。例えば、上記各実施形態におけるプライマリセルをマスターセルと呼ぶこともできるし、上記各実施形態におけるＰＳセルをプライマリセルと呼ぶこともできる。
【０１７０】
本発明に関わる基地局装置２および端末装置１で動作するプログラムは、本発明に関わる上記実施形態の機能を実現するように、ＣＰＵ（Ｃｅｎｔｒａｌ  Ｐｒｏｃｅｓｓｉｎｇ  Ｕｎｉｔ）等を制御するプログラム（コンピュータを機能させるプログラム）であっても良い。そして、これら装置で取り扱われる情報は、その処理時に一時的にＲＡＭ（Ｒａｎｄｏｍ  Ａｃｃｅｓｓ  Ｍｅｍｏｒｙ）に蓄積され、その後、Ｆｌａｓｈ  ＲＯＭ（Ｒｅａｄ  Ｏｎｌｙ  Ｍｅｍｏｒｙ）などの各種ＲＯＭやＨＤＤ（Ｈａｒｄ  Ｄｉｓｋ  Ｄｒｉｖｅ）に格納され、必要に応じてＣＰＵによって読み出し、修正・書き込みが行われる。
【０１７１】
尚、上述した実施形態における端末装置１、基地局装置２−１あるいは基地局装置２−２の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７２】
尚、ここでいう「コンピュータシステム」とは、端末装置１、又は基地局装置２−１あるいは基地局装置２−２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７４】
また、上述した実施形態における基地局装置２−１あるいは基地局装置２−２は、複数の装置から構成される集合体（装置グループ）として実現することもできる。装置グループを構成する装置の各々は、上述した実施形態に関わる基地局装置２−１あるいは基地局装置２−２の各機能または各機能ブロックの一部、または、全部を備えてもよい。装置グループとして、基地局装置２−１あるいは基地局装置２−２の一通りの各機能または各機能ブロックを有していればよい。また、上述した実施形態に関わる端末装置１は、集合体としての基地局装置と通信することも可能である。
【０１７５】
また、上述した実施形態における基地局装置２−１あるいは基地局装置２−２は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置２−１あるいは基地局装置２−２は、ｅＮｏｄｅＢに対する上位ノードの機能の一部または全部を有してもよい。
【０１７６】
また、上述した実施形態における端末装置１、基地局装置２−１あるいは基地局装置２−２の一部、又は全部を典型的には集積回路であるＬＳＩとして実現してもよいし、チップセットとして実現してもよい。端末装置１、基地局装置２−１あるいは基地局装置２−２の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１７７】
また、上述した実施形態では、端末装置もしくは通信装置の一例としてセルラー移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１７８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７９】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６、１００６  制御部
６０７、１００７  上位層
６０８  チャネル状態測定部
６０９、１００９  上りリンクサブフレーム生成部
６１０  上りリンク制御情報生成部
６１１、６１２、１０１１  ＳＣ−ＦＤＭＡ信号送信部
６１３、６１４、１０１３  送信アンテナ
【図１】
2018050088.tif 000003
【図２】
2018050088.tif 000004
【図３】
2018050088.tif 000005
【図４】
2018050088.tif 000006
【図５】
2018050088.tif 000007
【図６】
2018050088.tif 000008
【図７】
2018050088.tif 000009